(57)【要約】      （修正有）【課題】製造時には取り外し可能部品を収容していなかった部品受け入れ対象物上にこの対象物の当初の品質に大きな影響を与えることなく取り外し可能な部品を密接に導入し、取り外し可能な部品を収容するための装置を提供する。【解決手段】装置は、部品受け入れ対象物と少なくとも一つの取り外し可能な部品を有する。部品受け入れ対象物の製造後に、選択可能な部品は、対象物に密接に嵌合可能であり、別の例示的な実施形態ではこの対象物に密接に再嵌合可能であり、別の例示的な実施形態ではこの対象物に密接に後付け可能である。【選択図】図１
0003229748.tif 000002
【実用新案登録請求の範囲】
【請求項１】
取り外し可能な部品を、製造時には前記取り外し可能な部品を収容していなかった部品受け入れ対象物上に、前記対象物の当初の品質に大きな影響を与えることなく密接に導入し、前記取り外し可能な部品を収容するためのシステムであって、
ａ．）  部品受け入れ対象物と、
ｂ．）  少なくとも一つの取り外し可能な部品であって、前記部品受け入れ対象物に密接に嵌合可能、又は前記部品受け入れ対象物に密接に再嵌合可能、又は前記部品受け入れ対象物に密接に後付け可能のいずれかであって、前記取り外し可能な部品は同様の取り外し可能な部品と交換可能であって、又は取り外し可能又は不必要であって置換しない場合もある異種の部品と交換可能である部品と、を備え、
前記取り外し可能な部品を、製造時には前記取り外し可能な部品を収容していなかった部品受け入れ対象物上又は部品受け入れ対象物の別の取り外し可能な部品に対して、前記対象物の当初の品質に大きな影響を与えることなく密接に締結して、前記取り外し可能な部品を収容し、前記取り外し可能な部品は、前記部品受け入れ対象物の製造後に前記部品受け入れ対象物に取り付け、前記取り外し可能な部品は部品受け入れ対象物から分離可能であって、前記取り外し可能な部品を別の取り外し可能な部品と置換又は置換せずに前記取り外し可能な部品を破棄し、前記システム及びその方法の導入前の前記部品受け入れ対象物の製造時の前記部品受け入れ対象物の当初の品質に影響することなく、前記部品受け入れ対象物の外観を変えたり、機能を拡張したりしやすくする、システム。
【請求項２】
前記取り外し可能な部品は、好ましくはパネル、スリーブ、クレードルとしてのストラップ、シェル、カプセル化部材、及び／又は電気を利用した電気部品又は電子工学を利用した部品の形式の取り付け具である、
請求項１に記載のシステム。
【請求項３】
前記部品受け入れ対象物はシェルの形式の容器である、
請求項１に記載のシステム。
【請求項４】
前記容器は、バッグ、旅行鞄、又は靴である、
請求項３に記載のシステム。
【請求項５】
前記交換可能な取り外し可能な部品と後続の部品とが異なる形状の形式であって、必ずしも部品受け入れ対象物と一致していなくてもよく、複数の部品を部品受け入れ対象物に取り付け可能であって、前記各部品の形式は一致しても一致していなくてもよく、部品受け入れ対象物上の前記部品と他の前記部品とが、前記他の部品が前記対象物上であっても他の場所にあっても互いに通信可能である、
請求項１に記載のシステム。
【請求項６】
前記交換可能な取り外し可能な部品が自然素材製又は合成素材製であり、前記部品受け入れ対象物の材料と必ずしも同じ材料ではない、
請求項１に記載のシステム。
【請求項７】
前記部品受け入れ対象物は、少なくとも
ａ．）電流伝達接点、
ｂ．）電導フィラメント、
ｃ．）バッテリを備える電化装置を含む、
請求項１に記載のシステム。
【請求項８】
前記部品受け入れ対象物は、少なくとも電子マイクロプロセッサを備える電化装置を含む、
請求項１に記載のシステム。
【請求項９】
取り外し可能な部品は、発光可能である、
請求項１に記載のシステム。
【請求項１０】
部品受け入れ対象物上に取り外し可能な部品を取り付ける締結具は、例えば、限定されないが、スナップ、面ファスナー、接着剤、粘着性、磁性、ジッパー、ボタン、ネジ、さねはぎ、フックとリング、紐、又は張力である密接締結具の分離可能性により取り外し可能とする手段を用いて、前記部品受け入れ対象物上への前記部品の密接な取り付け、及び、前記部品受け入れ対象物からの前記部品の容易な取り外しが可能である、
請求項１に記載のシステム。
【請求項１１】
前記部品受け入れ対象物はカプセル化可能な物体である、
請求項１に記載のシステム。
【請求項１２】
前記カプセル化可能な物体は、眼鏡フレーム、宝石類、イヤリング、又は傘である、請求項１１に記載のシステム。
【考案の詳細な説明】
【技術分野】
【０００１】
本開示は、取り外し可能部品を、製造時にはそのような取り外し可能部品を収容していなかった部品受け入れ対象物上に、この対象物の当初の品質に大きな影響を与えることなく密接に導入し、取り外し可能部品を収容するためのシステムに関する。
【背景技術】
【０００２】
従来、ある対象物を製造した後に製品の外観を変更する際、例えばバッグに「チャーム（ｄａｎｇｌｅｒ）」等の飾りを単に緩く取り付ける程度であって、これ以外の場合にはそのような変更は簡単ではなかった。別の感触、形状、又は機能を得るために消費者は通常別の製品を購入するが、元の製品を気に入っていた場合には、余分な費用、無駄、及び不便さが加わることになる。当初の製品の製造後に、その製品の製造者、販売者、又は消費者は、その外側の部品のうちの一以上を対応する別の部品であって、当初の製品と一緒に売られている部品や、その製品の販売者又は別の販売者により提供される部品と交換したいと思う場合があった。
【考案の概要】
【０００３】
製造時には取り外し可能部品を収容していなかった部品受け入れ対象物上に、この対象物の当初の品質に大きな影響を与えることなく、取り外し可能な部品を密接に導入し、取り外し可能な部品を収容するためのシステム及び方法を開示する。限定されないが、特に、部品受け入れ対象物の製造後に、選択可能な部品は、別の例示的な実施形態ではこの対象物に密接に嵌合可能であり、別の例示的な実施形態ではこの対象物に密接に再嵌合可能であり、別の例示的な実施形態ではこの対象物に密接に後付け可能である。
【図面の簡単な説明】
【０００４】
本開示について、添付の図面を参照しながら以下に例示的に述べる。
【図１】部品受け入れ対象物の外周部に締結具を有する実施形態を示す図
【図２】対応する締結具を有するシェルの内側を示す図
【図３】締結具とシェルとを組み合わせた後の実施形態の外観を示す図
【図４】外周に締結具を備えたバッグを示す図
【図５】図４のバッグ用の電子機器を含む、対応する締結具を備えたパネルを示す図
【図６】締結具とパネルを組み合わせた後のバッグの側面図
【図７ａ】取り外し可能なパネルを収容するスリーブを備えたバッグを示す図
【図７ｂ】取り外し可能なパネルを収容するスリーブを備えたバッグの平面図
【図８】締結具を備えた靴の靴底を示す図
【図９】図８の靴底用の対応する締結具を有するシェルを示す図
【図１０】締結具とシェルとを組み合わせた後の靴の外観を示す図
【図１１】外周に締結具を備えた旅行鞄を示す図
【図１２ａ】図１１の旅行鞄用の対応する締結具を有するシェルの内側を示す図
【図１２ｂ】図１１の旅行鞄用の対応する締結具を有するシェルの外側を示す図
【図１３】締結具とシェルとを組み合わせた後の旅行鞄の外観を示す図
【図１４】取り外し可能なカプセル化部材を備えた傘を示す図
【図１５】取り外し可能なカプセル化部材を備えた眼鏡フレームを示す図
【考案を実施するための形態】
【０００５】
本開示は、以下により詳細に記載するように、製造時には取り外し可能な部品を収容していなかった部品受け入れ対象物上に取り外し可能部品をこの対象物の当初の品質に大きな影響を与えることなく密接に導入して取り外し可能部品を収容するシステムと、これを実現するための方法に関する。
【０００６】
本開示は、製造時には取り外し可能部品を収容していなかった部品受け入れ対象物上にこの対象物の当初の品質に大きな影響を与えることなく取り外し可能な部品を密接に導入し、取り外し可能な部品を収容するためのシステム及び方法に関し、限定されるものではないが、特に、部品受け入れ対象物の製造後に、選択可能な部品は、別の例示的な実施形態ではこの対象物に密接に嵌合可能であり、別の例示的な実施形態ではこの対象物に密接に再嵌合可能であり、別の例示的な実施形態ではこの対象物に密接に後付け可能である。部品受け入れ対象物上に取り外し可能部品を貼り付ける手段の導入は、この対象物の製造後に行ってもよい。
【０００７】
図１は、外周に締結具２を備えた実施形態１を示す図である。この例示的な実施形態において装置のケースは切欠きの周辺に境界を有し、媒体を提示する手段が媒体を外部に伝えることを可能とする。別の例示的な実施形態において、シェルを装置の外周の側面に取り付ける。別の例示的な実施形態において、シェルと装置とを取り付ける手段が、シェルの内側上と装置の外周の後ろ側とにある。図２は、対応する締結具４を備える取り外し可能なシェル３を示す図である。本実施形態の外側にある締結具は、取り外し可能なシェル上の対応する締結具と組み合わせるが、これら締結具の数、間隔、及び配置は、例えばこれに限定するものではないが、本考案が提供するパネルの形状、寸法、及び重量に関して設計上の好みによる。取り外し可能なシェルの内側にある締結具と実施形態の外側にある対応する締結具とを組み合わせる。シェルの内側にある締結具と本実施形態の外側にある締結具とを一緒にしてシェルと装置とを取り付けることができるが、締結具同士を分離するとシェルは取り外し可能な状態にある。
【０００８】
幾つかの実施形態において、既存のバッグであって、例えばこれに限定するものではないが女性用のバッグに関して、このバッグの外側の幾つかの部品上でパネルを取り外し可能とすることによって、バッグの品質を変える必要なく、あるパネルを別のパネルへと交換可能である。本考案によれば、ある例示的な実施形態では柔らかいものから別の例示的な実施形態では硬いものまでの範囲のバッグの張力が得られる。本考案によれば、ある例示的な実施形態では柔らかいものから別の例示的な実施形態では硬いものまでの範囲のパネルの張力が得られる。
【０００９】
幾つかの実施形態において、パネルを交換することにより、ある例示的な実施形態では外観であったり、別の例示的な実施形態では感触（材質）であったり、更に別の例示的な実施形態では（これに限定するものではないが例えば電気的／電子的な機能を導入するといった）機能を変えることができる。
【００１０】
パネルの交換により、製造後にパネルを変えながら、バッグを維持できる。従来のバッグにはパネルが取り外せないように組み込まれていた。このような従来のバッグにおいてパネルを変えるとは、バッグをばらばらにしてパネルを取り換えるという非経済的な作業ではなく、通常はバッグ全体を取り換えることを意味するものであった。
【００１１】
図４は、外周に締結具を備えたバッグ５を示す図である。本例示的な実施形態におけるバッグは、シェルとパネルとの間に外側ポケットを有するが、ポケットを有することは製品設計上の好みに過ぎない。バッグの外側にある締結具は、交換可能なパネル上の対応する締結具と組み合わせるが、これら締結具の数、間隔、及び配置は、例えばこれに限定するものではないが、パネルの形状、寸法、及び重量に関して設計上の好みによる。パネル７の内側にある締結具とバッグの外側にある対応する締結具とを組み合わせる。パネル通電装置は、パネル上の電気感応（ｅｌｅｃｔｒｉｃａｌｌｙ  ｓｅｎｓｉｔｉｖｅ）フィルムと、電流伝達接点であって、バッグのちょうど内側の対応する位置にある電流伝達接点と接続する電流伝達接点と、電極がフィルムに触れると電気を伝える電子スイッチとフィラメントであって、無色の状態から色のついた状態へと切り替わるようにフィルムを作動させる電子スイッチとフィラメントと、を備える。電子スイッチには、処理装置（プロセッサ）と、スマートフォンのアプリケーションである制御装置からの指令を受信する近距離無線通信（ＮＦＣ）ラジオとが備わっている。バッテリはバッグの素材の接点と同一平面上であって、パネル内部の接点に接するようになっている。図６は、締結具をパネルと組み合わせた後のバッグの側面図である。締結具によってバッグとパネルとがパネル内の電気的及び電子的素子と一緒に保持されると、バッグ内のパネルの電流伝達接点とバッテリとが接触し、その結果バッテリから電気処理装置によって制御されるスイッチを介した電気接続によってフィラメント内へと電流が流れ電極へと到達する。無線近距離通信（ＮＦＣ）を介して、アプリによって電気処理装置へと指令が出され、スイッチがオン、オフしてフィラメント内への電流の流れが制御される。
【００１２】
別の例示的な実施形態において、交換可能なパネルをバッグのシェルに直接取り付けるのではなく、バッグの側面にあるポケットへと取り付けてもよい。
【００１３】
別の例示的な実施形態において、パネルが電気的に作動可能であってもよい。別の例示的な実施形態において、そのような電流を電子処理モジュールにも供給してもよい。別の例示的な実施形態において：
−スリーブ内に出し入れする交換可能なパネルは、オフの場合には透明であってオンの場合にカラーである電気的に作動可能な発光フィルムを備え、別の例示的な実施形態では、パネルには電子インクがコーティングされており、更に別の例示的な実施形態では、パネルの材料が電気感応性である。
−フィラメントは、パネル内の電極に電流を伝え、パネルの端部にある伝達点からフィルムを作動する。
−パネルをスリーブ内に正しい方法で入れると、パネル端部の伝達点がスリーブの底部にある伝達点と接触して電流を受け取る。
−電流は再充電可能バッテリから供給されるが、別の例示的な実施形態では、従来の時計用電池である。
−バッテリは、別の例示的な実施形態では従来の時計用電池であり、別の例示的な実施形態ではモバイルバッテリであり、別の例示的な実施形態では、バッグ底部のフラップ内部の目立たない容器内にある、バッグ上の太陽電池を補足する蓄電ユニットである。
−スイッチは、
〇電子式であって、
〇パネルとスリーブとの間の伝達接点にあって、
〇別の例示的な実施形態では例えばこれに限定するものではないがスマートフォンのアプリからの無線指令によってスイッチがオンオフされ、別の例示的な実施形態では、スイッチは音声コマンドに反応するものであり、別の例示的な実施形態では、スリーブの底部でバッグの素材を介してつまめる（ｓｑｕｅｅｚａｂｌｅ）ボタンであって、本考案によればスイッチのモードは選択可能である。
【００１４】
幾つかの実施形態において、パネルの形状は設計の好みに応じるものであって任意である：
□例えば、パネルの形状は、パネルを収容するバッグの側面の形状と適合するようにすればよく、どのような形状であれ、バッグの製造、選択、販売とは別にパネルを製造、販売及び選択可能とする。形状としては直線状、円形、台形等が挙げられるがこれらに限定されない。
□別の例示的な実施形態では、設計者の裁量により、ある効果を得るためにパネルの形状をバッグの形状とは異ならせてもよい。
□一つのバッグに一つのパネルのみを取り付けるか、二つのパネルを取り付けるか、又は複数のパネルを取り付けるかは好みである。別の例示的な実施形態では、バッグの一箇所のみに交換可能なパネルを受け入れる。別の例示的な実施形態では、バッグの二つの箇所それぞれが交換可能なパネルを受け入れる。別の例示的な実施形態では、バッグの複数の箇所それぞれが交換可能なパネルを受け入れる。
【００１５】
幾つかの実施形態において、パネルはバッグから取り外し可能であるようにバッグの外側に取り付けられる。
□パネルをバッグに固定する手段は、現在又は将来に関わらずパネルを取り外し可能とする代替手段のいずれかを使用してよく、パネルを取り付ける前にバッグの外側に密着して貼り付けられている手段であって、以下のようなものが挙げられるがこれらに限定されない。
−別の例示的な実施形態ではスナップ
−別の例示的な実施形態では面ファスナー
−別の例示的な実施形態では粘着性（薄い両面テープ等）
−別の例示的な実施形態ではジッパー
−別の例示的な実施形態ではネジ
−別の例示的な実施形態ではさねはぎ（ｔｏｎｇｕｅｓ  ｉｎ  ｇｒｏｏｖｅｓ）
−別の例示的な実施形態ではボタン
−別の例示的な実施形態ではクリップ
−別の例示的な実施形態ではフックとリング
−別の例示的な実施形態では磁性
手段が何であれ、交換可能性を維持するためにパネルを取り外し可能とする手段である必要がある。例えば、これに限定するものではないが、設計者が意図する外観や感触に加えて、パネルの張り具合をどの程度にすべきか、材料の剛性をどの程度にすべきか、パネルの重量等についての製品の設計についての好みによって手段を選択する。手段が何であれ、交換可能性を維持するためにパネルを取り外し可能とするものである必要がある。例えば、これに限定するものではないが、設計者が意図する外観や感触に加えて、パネルの張り具合をどの程度にすべきか、材料の剛性をどの程度にすべきか、パネルの重量等についての製品の設計についての好みによって手段を選択する。
□パネルを収容するバッグの部分は、例えばこれに限定するものではないがバッグが箱型、円筒形又は四面体である場合には、バッグの側面又は端部のうちの一つのいずれかとしてもよい。
□別の例示的な実施形態において、例えば、これに限定するものではないが、バッグが円筒形であるバッグの特定の形状において、二つのパネルの間にバッグを挟むのではなく、海苔で巻いた寿司のようにバッグの端部ではなく底部の部分を含むバッグの周囲にパネルを柔軟に巻きつけてもよい。例えばこれに限定するものではないが、パネルの張り具合をどの程度にすべきか、パネルを取り付けるバッグの形状、パネルの重量等についての設計の好みに応じて、バッグにパネルを貼り付ける手段が、別の例示的な実施形態においてはパネルの端部にあり、別の例示的な実施形態においてはパネルの周囲にあり、別の例示的な実施形態においてはパネルの周囲から内側にあってもよい。
□特にパネルがふさわしくないかもしれない特定のバッグの形状、例えばこれに限定するものではないが別の例示的な実施形態においてバッグが球形（楕円形を含む）である実施形態において、交換可能なパネルは「スキン（ｓｋｉｎ）」である。スキンは、バッグの大半を包むものである。スキンは、これらに限定するものではないが、例えば以下の手段によってバッグに密接に取り付ける。
〇締結具（これらに限定するものではないが、例えば、
−別の例示的な実施形態ではスナップ
−別の例示的な実施形態では面ファスナー
−別の例示的な実施形態では粘着性（薄い両面テープ等）
−別の例示的な実施形態ではジッパー
−別の例示的な実施形態ではネジ
−別の例示的な実施形態ではさねはぎ
−別の例示的な実施形態ではボタン
−別の例示的な実施形態ではクリップ
−別の例示的な実施形態ではフックとリング
−別の例示的な実施形態では磁性）
〇別の例示的な実施形態ではバッグを把持するために延びるスキンの弾力性
〇別の例示的な実施形態では手を覆う手袋のような固有の適合性
□別の例示的な実施形態では、スキンに開口部があって、この開口部はバッグを包み込む（ｓｗａｌｌｏｗ）口部である。別の例示的な実施形態では、スキンのこのような開口部によってそこからハンドルが突出可能ともなる。別の例示的な実施形態では、スキンには弾性があってバッグを覆うように広がり、スキンの開口部によってバッグのハンドルが突出可能である。
□別の例示的な実施形態では、バッグが可鍛性（ｍａｌｌｅａｂｌｅ）であって、必ずしも（大きな）弾性を有する必要はないがスキン内に入り込み、スキンの開口部によってバッグのハンドルが突出可能である。
□別の例示的な実施形態では、スキンによってバッグをその頂部から下へと覆い、スキンの穴によってバッグのハンドルが突出可能であり、スキンはバッグから裾のように垂れ下がる余分な材料を有する。
【００１６】
本考案によれば、バッグに取り付けるパネルを交換可能とする、様々な大きさ、形状、容量のものであってよい任意のバッグが提供される。
・別の例示的な実施形態において、バッグは小型である。
・別の例示的な実施形態において、バッグは大型である。
・別の例示的な実施形態において、バッグは小型と大型との間である。
【００１７】
本考案によれば、バッグ内に仕切り（ｃｏｍｐａｒｔｍｅｎｔｓ）を設けるかどうかについて選択ができる。本考案は、バッグ内に取り外し可能な仕切りを提供する。
【００１８】
幾つかの実施形態において、既存のバッグ、例えばこれに限定するものではないが女性用のバッグは、バッグのシェル内のスリーブ内にパネルを挿入したりパネルを取り除いたりできるようになっており、スリーブ内からパネルを取り出して別のパネルをスリーブ内に挿入することによって、バッグの品質を変えることなく、パネルを別のパネルに交換することができる。本考案によれば、ある例示的な実施形態では柔らかいものから別の例示的な実施形態では硬いものまでの範囲のバッグの張力が得られる。本考案によれば、ある例示的な実施形態では柔らかいものから別の例示的な実施形態では硬いものまでの範囲のパネルの張力が得られる。
・バッグの内部においてスリーブを含む領域は、例えばこれに限定するものではないが、別の例示的な実施形態ではバッグが箱型であって別の例示的な実施形態では円筒形であって別の例示的な実施形態では四面体であるバッグの場合には、別の例示的な実施形態ではその側面又は別の例示的な実施形態では端部のうちの一つであり、又は二つ乃至複数の領域であってもよい。
・その領域には、対応するスリーブ内のパネルが切欠き（ｃｕｔ−ｏｕｔ）を通して見えるように、一つ又は複数の形状の切欠きがあり、例えばこれに限定するものではないが、色、パターン、材質等を表示する。
・スリーブをバッグ内に導入する方法は、現在又は将来に関わらずその時の適切な製造に適合する幾つかの方法のうちの一つによって達成可能であり、別の例示的な実施形態では例えば以下のような方法がある：
・追加素材でできた十分に頑丈な部分をその外側内部に取り外せないように（例えば、これに限定するものではないが縫い付けることによって）取り付けてスリーブを構成する。
・外側と追加素材との間の上部縫い目を開けたままにしておき、取り外し可能なパネルを挿入可能とする。
・スリーブと各パネルとの寸法は、スリーブ内部にパネルをぴったりと挿入できるような寸法とし、これによってパネルを追加の分離可能な部品として導入するとともに、そのパネルをスリーブから簡単に取り外すことができるようにする。
【００１９】
幾つかの実施形態において、スリーブとパネルとの組み合わせが非直線的であってもよく、例えばこれに限定するものではないが、台形であってもよい。パネルとスリーブとの対応する形状がバッグの各部分の非直線的な形状と一致するものであってもよく、又はパネルとスリーブとの対応する形状が各部分とは異なる形状であってもよい（例えば、これに限定するものではないが四面体の三角形部上の六角形）。このような場合、スリーブ内にパネルを保持する方法として、例えばこれに限定するものではないが、以下に示す方法のうちの一つがふさわしい場合がある：
・スリーブのフラップ部が開くようにスリーブ挿入口の上部をパネルの幅まで拡大して、例えばこれに限定するものではないが別の例示的な実施形態では円形、別の例示的な実施形態では三角形、又は別の例示的な実施形態では台形等の非直線的な形状に対応できるようにする。
・別の例示的な実施形態において、スリーブのフラップ部を一方又は他方側からパネルの高さまで開けることによって同様に非直線的な形状を収容できる。
・（例えばこれに限定するものではないが、パネルとスリーブとが台形であって）パネルをスリーブ内に上から導入することが難しい場合、別の例示的な実施形態において、パネルとスリーブとの組み合わせを容易にする一つの方法は、スリーブの周囲の他の部分は密閉しておいて、スリーブの底部からパネルを導入することである。
【００２０】
別の例示的な実施形態においてスリーブのフラップ部を開けてパネルを収容する又は別の例示的な実施形態において底部の縫い目を開ける場合、スリーブ内にパネルを保持するために何らかの補強が必要となる場合がある。スリーブ内にパネルがぴったりと嵌まっていてもパネルが保持されていない場合、ふさわしい締結具、例えばこれに限定するものではないが、スナップ、ジッパー、粘着性等であって、現在又は将来に関わらずその時に利用可能な締結具で十分な場合がある。本考案によれば：
・別の例示的な実施形態においてスリーブをフラップ部のどちらの側から開けるかについての選択可能性と、
・別の例示的な実施形態においてスリーブのフラップ部を開けるのかスリーブの底部を開いたままにするのかについての選択可能性と、
・別の例示的な実施形態においての締結具の選択可能性と、が得られる。
【００２１】
本考案によれば、
・別の例示的な実施形態においてパネルの厚さをどのようにするかについての選択可能性と、
・別の例示的な実施形態においてパネルの素材についての選択可能性と、
・別の例示的な実施形態においてパネルの形状についての選択可能性と、
・別の例示的な実施形態においてスリーブの形状についての選択可能性と、
・別の例示的な実施形態においてスリーブの素材についての選択可能性と、
・別の例示的な実施形態においてスリーブの厚さをどのようにするかについての選択可能性と、が得られる。
【００２２】
幾つかの実施形態において、スリーブは、バッグ外部の内側ではなくバッグ外部の外側にある。スリーブは、好みに応じて、例えばこれに限定するものではないが、色、素材、厚さ等が外部とは異なっていてもよい。スリーブをバッグ外部内に導入する方法は、現在又は将来に関わらずその時の適切な製造に適合する幾つかの方法のうちの一つによって達成可能であり、例えば以下のようなものがある。
・追加素材でできた十分に頑丈な部分を外部の外側に取り外せないように（例えば、これに限定するものではないが縫い付けることによって）取り付けてスリーブを構成する。
・外側と追加素材との間の上部の縫い目を開けたままにしておき、取り外し可能なパネルを挿入可能とする。
・スリーブと各パネルとの寸法は、スリーブ内部にパネルをぴったりと挿入できるような寸法とし、これによってパネルを追加の分離可能な部品として導入するとともに、そのパネルをスリーブから簡単に取り外すことができるようにする。
・幾つかの実施形態のうち別の例示的な実施形態において、パネルが電気的に作動可能であってもよい。別の例示的な実施形態において、そのような電流を電子処理モジュールにも供給してもよい。別の例示的な実施形態において、スリーブ内に出し入れする交換可能なパネルは、オフの場合には透明であってオンの場合にカラーである電気的に作動可能な発光フィルムを備え、別の例示的な実施形態では、パネルには電子インクがコーティングされており、更に別の例示的な実施形態では、パネルの材料が電気感応性である。
・フィラメントによってパネル内の電極に電流を伝え、パネルの端部にある伝達点よりフィルムを作動する。
・パネルをスリーブ内に正しい方法で入れると、パネル端部の伝達点がスリーブの底部にある伝達点と接触して電流を受け取る。
・電流は再充電可能なバッテリから供給されるものであって、バッテリは、別の例示的な実施形態では従来の時計用電池であり、別の例示的な実施形態ではモバイルバッテリであり、別の例示的な実施形態では、バッグ外部上の太陽電池を補足する蓄電ユニットである。
・バッテリは、別の例示的な実施形態では従来の時計用電池であり、バッグ底部のフラップ部内部の目立たない容器内にある。
・スイッチは、
〇電子式であって、
〇パネルとスリーブとの間の伝達接点にあって、
〇例えばこれに限定するものではないがスマートフォンのアプリからの無線指令によってスイッチがオンオフされ、別の例示的な実施形態では、スイッチは音声コマンドに反応するものであり、他の例示的な実施形態では、スリーブの底部でバッグの材質を介してつまめるボタンであって、スイッチのモードの選択は好みに応じる。
【００２３】
幾つかの実施形態において、スリーブは、アレイ状の切欠きではなく一つの大きな切欠きを備え、パネルをスリーブ内に入れると、スリーブで囲まれた周囲の薄いマージン部を除いてパネル全体が表示される。スリーブの大部分を切り取ったことによりこの部分の材料がないのでスリーブによるパネルの保持が大きく減少するため、現在又は将来に関わらずその時に適切に利用可能な手段のうちのいずれかによってパネルをスリーブの背面に取り付ける。本実施形態ではアレイ状のマイクロスナップを用いる。
【００２４】
幾つかの実施形態において、バッグは、バッグの内容物を保持する容器と、容器を支持するために容器を包むクレードル（ｃｒａｄｌｅ）とを備える。別の例示的な実施形態ではハンドルから吊り下げ、別の例示的な実施形態ではフックとリングによってクレードルに取り付けたストラップから吊り下げ、別の例示的な実施形態ではフックとリングによって容器に取り付けたストラップから吊り下げ、別の例示的な実施形態ではバックパックのようにハーネスから吊り下げて支持する。本考案によれば、ある例示的な実施形態では柔らかいものから別の例示的な実施形態では硬いものまでの範囲の容器の張力が得られる。本考案によれば、ある例示的な実施形態では柔らかいものから別の例示的な実施形態では硬いものまでの範囲のクレードルの張力が得られる。
・クレードルと容器とは分離可能である。クレードルと容器とが分離可能であるので、クレードルを別のものに交換可能であり、別の例示的な実施形態において違う色に、別の例示的な実施形態において違う素材に、別の例示的な実施形態において追加的な機能をもつ別のクレードルに交換可能である。クレードルと容器とが分離可能であるので、容器、例えばこれに限定するものではないがポーチ（ｐｏｕｃｈ）を別のものに交換可能であり、別の例示的な実施形態において違う色に、別の例示的な実施形態において違う素材に、別の例示的な実施形態において追加的な機能をもつ別の容器に交換可能である。
・クレードルには容器に取り付けて底部から支持するためのスリングと、容器の周囲に延びて容器を支えるためのストラップと、バッグを保持するためにストラップから延びるハンドルとが組み込まれている。
□別の例示的な実施形態において、スリング及びハンドルまで延びる及びハンドルを含むストラップは分離可能である。
□別の例示的な実施形態において、スリング、ストラップ、及びハンドルは分離可能である。
□別の例示的な実施形態において、ハンドルの輪は手で握ることができると共に肩の上を滑らせることができることができる十分大きなものである。別の例示的な実施形態において、容器は、ハンドルに加えて、バッグを肩から吊り下げるストラップ（「ショルダーストラップ」）を引っ掛けるためのリングを各容器に備える。別の例示的な実施形態において、バッグをバッグパックとして装着できるように、調節可能なストラップの追加セットがクレードルに取り付けられる。
・現在又は将来に関わらずその時に利用可能な手段によってクレードルと容器とを分離可能な状態としたままで互いに取り付ける。例えば、これらに限るものではないが、以下のものがある。
□別の例示的な実施形態ではスナップ
□別の例示的な実施形態では面ファスナー
□別の例示的な実施形態ではの粘着性（薄い両面テープ等）
□別の例示的な実施形態ではジッパー
□別の例示的な実施形態ではネジ
□別の例示的な実施形態ではさねはぎ
□別の例示的な実施形態ではボタン
□別の例示的な実施形態ではクリップ
□別の例示的な実施形態ではフックとリング
□別の例示的な実施形態では磁性
別の例示的な実施形態において現在のクレードルを別のクレードルに交換する、又は別の例示的な実施形態において現在の容器を別の容器に交換することによって、追加の機能性がもたらされる。
・別の例示的な実施形態において、現在のクレードルの代わりである新しいクレードルの追加的な機能としては、交換可能な部品と組み合わせた電子処理モジュールであり、クレードルを介した通電によりこの電子処理モジュールに電力を供給する。電源は、別の例示的な実施形態においてクレードル内に、別の例示的な実施形態において容器内に、又はバッグに対する別の部分的な（再）修正箇所にある。
・別の例示的な実施形態において、現在の容器の代わりである新しい容器の追加的な機能としては、交換可能な部品と組み合わせた電子処理モジュールであり、容器を介した通電によりこの電子処理モジュールに電力を供給する。電源は、別の例示的な実施形態において容器内に、別の例示的な実施形態においてクレードル内に、又はバッグに対する別の部分的な（再）修正箇所にある。
・別の例示的な実施形態において、このような追加的な機能は、クレードルと容器に加えて、バッグに対する別の部分的な（再）修正により得られる。
【００２５】
本考案によれば、現在又は将来に関わらずその時に利用可能な手段の電源について選択可能性が得られる。
・別の例示的な実施形態において、電源は再充電可能なモバイルバッテリである。
・別の例示的な実施形態において、電源は従来の時計用電池である。
・別の例示的な実施形態において、電源は太陽電池である。この太陽電池は、別の例示的な実施形態においてクレードルの外側にあり、この太陽電池と組み合わせる蓄電ユニットがクレードルの底部にある。別の例示的な実施形態において、電源は太陽電池であって、この太陽電池は、別の例示的な実施形態においてクレードルの外側にあり、別の例示的な実施形態においてこの太陽電池パネルと組み合わせる蓄電ユニットが容器底部のフラップ部内にある容器（ｐｏｄ）内にある。太陽電池から蓄電ユニットへの電流の伝達は、フィラメントを介して太陽電池パネルと蓄電ユニットとの間を導通する電気接点を含むスナップ結合コネクタを介して行われる。同様の構成によって、電流伝達コネクタ内で接する接点から延びるフィラメントを介して蓄電ユニットからバッグの電気作動部へと電力を伝える。別の例示的な実施形態において、太陽光パネルはクレードル上にあって蓄電ユニットは容器の底部にあり、コネクタの接点を介して電流が伝わり、フィラメントによって電気作動部品へと導かれる。
【００２６】
幾つかの実施形態において、クレードルは、小さいものであれ大きいものであれ様々な大きさの交換可能な異なる容器を収容可能であるよう拡張可能であって、色々なクレードルを展開する必要がない。
・別の例示的な実施形態において、クレードルは、クレードルから延びるストラップを広げることによって拡張可能であり、ストラップを再び折り畳むとクレードルを小さくすることができる。
・別の例示的な実施形態において、クレードルは、ストラップ及びクレードルテレスコープ構造（ｔｅｌｅｓｃｏｐｅｓ）に長さを追加することによって拡張可能である。
・別の例示的な実施形態において、クレードルは、ストラップに長さを追加することによって拡張可能であり、クレードルは、容器が小さいか、小さいサイズと大きいサイズの中間か、大きいかに関わらず、容器の底部を抱え込むような弾性を有する。
【００２７】
クレードルと容器とが分離できるので、別の例示的な実施形態において素材等を含め、容器が洗浄可能な構成のものであれば、別の例示的な実施形態において容器が洗浄可能な合成素材であってハンドルが本革でありハンドルを洗うことができない場合であっても容器を洗うことができる。
【００２８】
本考案によれば、容器内に仕切り（ｃｏｍｐａｒｔｍｅｎｔ）を設けるかどうかの選択可能性が得られる。本考案は、容器内に取り外し可能な仕切りを提供する。
【００２９】
別の例示的な実施形態において、バッグのストラップに関して、
・ストラップは交換可能である。
・ストラップは電気作動可能である。
・通電すると、ストラップにおける特定の能動機能が有効になる。機能を指示する代替手段は、例えばこれらに限定するものではないが、別の例示的な実施形態ではストラップ内の電子処理モジュールのコード（ｃｏｄｅ）により、別の例示的な実施形態ではスマートフォンのアプリケーションによって無線により、別の例示的な実施形態において別の外部装置によって指示することができる。本考案によればストラップの外観をアクティブな状態とすることができ、別の例示的な実施形態において、オフの場合には透明であってオンの場合にカラーである電気的に作動可能な発光フィルムであり、別の例示的な実施形態では、パネルに電子インクがコーティングされており、更に別の例示的な実施形態では、パネルの材料が電気感応性である。
・別の例示的な実施形態において、ストラップに電子処理モジュールを組み込む。別の例示的な実施形態において、ストラップが更にアンテナを備えていてもよい。別の例示的な実施形態において、バッグを吊り下げる基本的な使用の妨げになるほどストラップが大きくならないよう十分にコンパクトな他の電気装置がストラップに備わっていてもよい。
・別の例示的な実施形態において、フックとリングとの組み合わせたものでストラップをバッグに取り付ける。別の例示的な実施形態において、フックとリングの組み合わせのうちの一つに、例えば必ずしも必要ではないが電磁接点（ｅｌｅｃｔｒｏｍａｇｎｅｔｉｃ  ｃｏｎｔａｃｔ）を組み込み、この電磁接点はフックとリングの組み合わせ内の接触点においてバッグ内の電源からストラップ内のフィラメントへと十分な電流を伝達するのに十分なものとする。別の例示的な実施形態において、ストラップが電源を備え、例えば必ずしもそうではないが、別の例示的な実施形態においてこの電源はピンヘッド電池であって、別の例示的な実施形態において従来の時計用電池であって、バッグとは独立して、このストラップのフックに対応するリングを備えた別のバッグとこのストラップとを用いて、ストラップに電源を提供する。
・ストラップが交換できることは、（フックとリングの組み合わせによりストラップをフックの付いた任意のバッグに取り付け可能であり、任意のバッグに様々な異なる外観のストラップを付けることができ、一以上のバッグの見た目を補足するといった）美観上の用途にも適している。このように交換できることによって更に機能を付け加えることもできる。例えば、消費者が手持ちの一以上のバッグに対してストラップを変えることによって、ストラップが有する消費者が利用可能な機能、限定するものではないが例えば電気処理の機能が、複数のバッグに導入される。ストラップを交換できることにより更に、例えばこれに限定するものではないがストラップを取り替えてアップグレードすることも可能である。
【００３０】
幾つかの実施形態において、例えば、これだけではないが、旅行鞄（ｌｕｇｇａｇｅ）又は通常のバッグ又は靴が、シェル内にある容器を備える。本考案によれば、ある例示的な実施形態では柔らかいものから別の例示的な実施形態では硬いものまでの範囲の容器の張力が得られる。本考案によれば、ある例示的な実施形態では柔らかいものから別の例示的な実施形態では硬いものまでの範囲のシェルの張力が得られる。容器とシェルとは取り付けるまでは別々である。シェルは容器を囲む。製造者、販売者又は消費者のいずれかは、シェル内の容器と容器の周りのシェルとを固定することができ、且つ容器とシェルとは互いに取り外しが可能である。
【００３１】
図１１は、外周に締結具を備えた旅行鞄を示す図である。シェルのみによって容器を囲んでおり、バッグの内容物はシェルではなく容器内にあり、容器とシェルとが共にヒンジ上で開閉し、シェルと容器とが固定された後、連携して開閉する。別の例示的な実施形態において、固定されていた後にシェルが最初に開いてその後容器が開く。締結具は容器の外側にあり、特にその外周に沿っている。このような締結具の種類、数、位置は、シェル上の締結具の種類、数、位置に対応する。（例えば必ずしもそうではないが蓋及び底部の中央部、更には外周における）締結具の数、間隔、及び配置は、例えばこれに限定するものではないがバッグの形状、寸法、積み荷容量に関する設計上の好みである。本実施形態において、シェルの形状、大きさ、寸法は、容器の形状、大きさ、寸法に対応する。但し、シェルによって容器を囲んだ際に容器及びシェルをきちんと閉めることができれば、これらのうちのいずれかが異なるのは設計上の好みである。二枚貝のように、シェルが容器を抱え込む。シェルの内部にある締結具は、容器の外部にある締結具の種類、配置、及び数に対応する。本実施形態において、締結具は、開いた状態の容器の内側からシェルのレセプタクル（ｒｅｃｅｐｔａｃｌｅｓ）内へとらせん状に進むネジであって容器とシェルとを締め付けるためのものである。例えばネジを奥まったところに配置する等によりこれらのネジを容器の裏地の後ろに隠すか、むき出しの状態にするかについては、製品の設計上の好みである。このバッグの外観は、蓋と底部とを含む外側のシェルと、容器の内部とで構成される。本実施形態において、容器によって裏地の後ろで奥まったところにあるネジが隠れている。容器に格納式のハンドルが含まれている場合、シェルの上端に開閉可能なキャップが付いた切欠きがあり、垂直な状態でハンドル（この図におけるＴ字）がシェルを突き抜けられるようになっている。
【００３２】
旅行鞄である幾つかの実施形態において、取り外しが可能であることによって、同じ容器を保持した状態でシェルを別のシェルに交換することができ、又はシェルを保持した状態で容器を別の容器に交換することができる。このように置き換えられるので、容器を破棄して別のものを手に入れるための費用の必要なく、例えばこれに限定するものではないが、別の例示的な実施形態において機能（例えば、ポケット、電子機器、又は補強の配列が異なる）や、別の例示的な実施形態において外観（色、パターン、写真等）、別の例示的な実施形態において材質（例えば、既存のシェルを耐久性が向上し軽量の別の素材のシェルで交換する）を変えることができる。更に、別の例示的な実施形態において、修理ができない場合には全体を破棄するのではなく、容器を取り換える費用の必要なくシェルのみを交換することで、シェルの損傷に対処することができると共に、シェルを取り換える費用の必要なく容器のみを交換することで、容器の損傷に対処することができる。
【００３３】
容器がシェル内に入り込み、シェルが容器を囲む。容器とシェルとは、シェルと容器とを製造した後に、現在又は将来に関わらずその時に利用可能な幾つかの手段のうちのいずれかによって互いに固定される。そのような手段は、例えば、別の例示的な実施形態において人がレセプタクル内にねじ込むことのできるネジ、別の例示的な実施形態において磁性、別の例示的な実施形態においてジッパー等であってこれらに限定されない。本考案によれば、現在又は将来に関わらずその時に利用可能な手段について、別の例示的な実施形態においてシェルと容器とを固定する手段についての選択可能性が得られる。
【００３４】
シェルと容器とにはそれぞれ専用の蓋がある：
□頑丈な蓋を備えた容器によって内容物が保護されるので、蓋を備えたシェルはできる限り薄くすることができるが、例えばこれに限定するものではないがポケット等の付属品を支持することはできる。
□本考案によれば、シェルの蓋を開くと容器の蓋も開くようにシェルの蓋を容器の蓋に取り付けるか、シェルの蓋は容器の蓋とは別に開くようにするかを選択することができる。
□シェルと容器の蓋とをそれぞれ別々に開くようにすると、安全上の機能を追加することができる。別の例示的な実施形態において蓋を開錠するのに二度の別々の処理が必要であり、例えば必ずしもこれらに限定するものではないが、別の例示的な実施形態において二つのコードが必要であったり、別の例示的な実施形態において二度の生体認証が必要であったり、別の例示的な実施形態において手段を組み合わせたりする。
【００３５】
別の例示的な実施形態において、旅行鞄の一般的な格納式ハンドルがシェルを介して突出可能である。別の例示的な実施形態において、容器内のハンドルがある位置に対応するシェル内の位置に、シェル内を介してハンドルが延出するのに十分大きな切欠きがある。別の例示的な実施形態において、シェルにはキャップが備わっており、このキャップを閉じるようにスライドさせれば格納されたハンドルの上で穴を塞ぐことができ、キャップを開くようにスライドさせると穴が現れる。
【００３６】
別の例示的な実施形態において、シェルによって鞄に車輪を備えられる。別の例示的な実施形態において、バッグの端部にこのような車輪があり、バッグが直立していると、車輪の上にバッグがあることになる。車輪が突出する容器の端部に対応するシェルの端部には、車輪の位置と対応した位置に切欠きがあり、閉じていても車輪がシェルから突出して旋回する。別の例示的な実施形態において、車輪を容器のレセプタクルから外すことはできず、シェルは、車輪をレセプタクル内へと通過させる切欠きを含み、このような切欠きを介して車輪をレセプタクルにねじ込むと、車輪が元のように容器へと固定される。シェルを介して車輪が突出して容器とシェルの両方を含むバッグを支えて旋回する。
【００３７】
別の例示的な実施形態において、分離可能に連携するシェルと容器とのうちのいずれか一方のみ又は両方に、通電によって電力供給される電子処理モジュールを設けることができる。本考案によれば、別の例示的な実施形態において容器からシェルに通電が到達するのか、別の例示的な実施形態においてその逆であるのか、別の例示的な実施形態においてシェルと容器とにそれぞれ別々に流れるのかについて選択することができる。電流を供給する電源について選択することができ、例えば、別の例示的な実施形態において再充電可能なバッテリ、別の例示的な実施形態では従来の時計用電池、別の例示的な実施形態ではモバイルバッテリ、別の例示的な実施形態では、バッグ上の太陽電池を補足する蓄電ユニットであるがこれらに限定されない。
【００３８】
同様に、別の例示的な実施形態では、容器が分離可能なシェル内に存在するため、容器の構造をその外観に関係なく堅固とすることができる。
【００３９】
別の例示的な実施形態では、取り外しができない裏地の代わりとして取り外し可能な内部「スキン」を取り付けることにより、シェルの内部を覆うことができる。コンテナの内部は、取り外しができない裏地の代わりに、取り外し可能な内部スキンを取り付けることで装飾ができる。本考案によれば、別の例示的な実施形態において容器とシェルとの両方の内部のスキンの付け直し（ｒｅｓｋｉｎｎｉｎｇ）をするのか、別の例示的な実施形態において容器の内部だけにスキンの付け直しをするのか、別の例示的な実施形態においてシェルの内部だけにスキンの付け直しをするのかについて選択することができる。別の例示的な実施形態では、取り外し可能な内部スキンが追加機能を備える。このような追加機能として、例えば、ＬＥＤ等の通電機能であって内容物に光を当てるためのもの、別の例示的な実施形態ではセンサ等の電子デバイス、別の例示的な実施形態では機能を組み合わせたものであるが、必ずしもこれらに限定するものではない。別の例示的な実施形態では、シェル全体又は容器又はバッグ全体を交換する必要はなく、既存のスキンと追加機能を組み込んだ新しいスキンとを交換することにより、追加機能が提供される。再充電式バッテリ等の通電の電源は、例えば別の例示的な実施形態では従来の時計用電池であって、別の例示的な実施形態ではモバイルバッテリであって、別の例示的な実施形態ではバッグ上の太陽電池を補足する蓄電ユニットであるが、このような電源は、別の例示的な実施形態ではスキンに、別の例示的な実施形態ではシェルに、別の例示的な実施形態では容器にあってもよい。本考案によれば、別の例示的な実施形態において電源の場所を選択することができる。スキンの電子デバイスに電子処理が必要な場合は、処理装置が、別の例示的な実施形態ではスキンに、別の例示的な実施形態ではシェルに、別の例示的な実施形態では容器にあって、別の例示的な実施形態では有線により、別の例示的な実施形態では無線により電子デバイスと通信を行ってもよい。本考案によれば、処理装置とデバイスとがどのように通信するかについて選択ができる。
【００４０】
本考案によれば、安全性を確保するために、別の例示的な実施形態ではバッグのハンドルを容器から突出させる開口部をシェルが有する、又は別の例示的な実施形態では、容器から突出するハンドルのコア部の輪郭をシェルが備えており、ハンドルがシェルの一部として輪郭の内部に収まるようになっている。これはハンドルを強化するためだけでなく、別の例示的な実施形態ではハンドルの外部を変化させることもでき、別の例示的な実施形態では外観を変えることであり、別の例示的な実施形態では感触を変えることであり、別の例示的な実施形態では、例えば電気／電子等の機能を追加することもできる。
【００４１】
図７ａに取り外し可能なパネルを収容するスリーブを備えたバッグを示す。バッグの側面には、パネルがない場合に内部の永続的に変わらない色を表示する形状の切欠きがあり、バッグ内部のスリーブの寸法を超えない配列となっている。図７ｂはスリーブ７を備えたバッグの平面図である。切欠きを備えた各側面の内側には、この実施形態では直線状である第二材料片がある。この第二材料片の三つの端部を側面の内側に固定し、第二材料片の上部において第二材料片とバッグの外側との間は縫い目を開けた状態にしておきスリーブを形成する。パネルをスリーブに入れたり出したりできるので、パネルを別のパネルと交換することができる。スリーブ内で、切欠きを介してパネルが表示される。既存のパネルを別のパネルに置き換えると、同じ切欠きを通して別のパネルが表示されることになる。
【００４２】
別の例示的な実施形態では、（例えば、オーダーメイドの型を使用する等して）足にフィットするように誂えている（但し、本考案は大量生産品の靴にも適している）、通常高価である土台（ｃｈａｓｓｉｓ）の内部機能を維持しつつ、シェルと容器との組み合わせによって、靴の外側を変えることができる。靴の外観は、その機能性と同じ程度に重要なものとなっている。更に、スポーツ用の靴の場合、外側を変えながら土台を維持する機能に加えて、追加的な多くの場合には電子的機能が組み込まれる。
【００４３】
シェルと足の容器を含む土台との間をぴったりと固定し且つ軽量に保つために、本考案によれば、一以上の手段を使用しており、例えばこれに限定するものではないが、別の例示的な実施形態では非常に小さな締結具（例えば、スナップ、ネジ又はさねはぎ）、別の例示的な実施形態では粘着性（例えば、極薄両面テープ）、別の例示的な実施形態では磁性等であって、現在又は将来に関わらずその時に利用可能な、靴のシェルの内部と足の容器の外部とを特定の箇所で一緒にする手段であり、特に別の例示的な実施形態において靴底と容器がすでにコーパス（ｃｏｒｐｕｓ）で一緒になっている場合にはシェルの端部と靴底の端部とが接する箇所、別の例示的な実施形態では、シェルのカーブアウト（ｃａｒｖｅ−ｏｕｔ）の周囲で例えば靴紐と容器とが接する場所である。但し、シェルと容器とは分離可能な状態のままとする。別の例示的な実施形態では、靴は、容器から分離可能な取り外し可能靴底並びに分離可能なシェルと容器とを備えてもよく、容器を破棄することなく靴底を交換可能である。この実施形態では、靴底の上部と容器の底部とを、シェルと容器とを一緒にするような手段によって取り外し可能に取り付けることができる。別の例示的な実施形態では、シェルには靴底が取り外せないように組み込まれており、従って、シェルによって容器を囲むと、容器、シェル、及び靴底によって靴が完成する。別の例示的な実施形態では、靴底がシェルから分離可能であって、シェルを破棄する必要なく靴底を交換したり、容器と靴底とを破棄する必要なくシェルを交換したり、シェルと靴底とを破棄する必要なく容器を破棄したりすることができる。幾つかのその他の例示的な実施形態において、靴底、シェル、及び容器のいずれか、幾つか及び全てが、通電及び／又は電子処理機能を備え、これによって促進される機能は、靴底、シェル、及び容器間で異なっていてもよく、例えば、靴底と関連する歩数計の機能、シェルと関連するＧＰＳセンサ機能、容器と関連するリフレッシュのためのアトマイザ機能等であるがこれらに限定されない。
【００４４】
足の周囲で靴を固定する手段、例えば、別の例示的な実施形態では靴紐、別の例示的な実施形態では面ファスナー、別の例示的な実施形態ではジッパー等の手段が靴に備わっている場合がある。このような場合、本考案によれば、足をぴったりとした容器に出し入れさせつつ、別の例示的な実施形態ではこのような手段を容器上に設けシェルの切欠きを介して突出させ、別の例示的な実施形態ではシェル上に設けて容器と足との周りで締め付けるようにする。これによって、消費者が希望する場合にある状況において、シェルを変えることによって様々な態様、例えば別の例示的な実施形態では職場（オフィス、工場又は社外）、別の例示的な実施形態ではカジュアルウェア、別の例示的な実施形態では運動用を、脚にやさしい単一のオーダーメイド容器で満足することができる。
【００４５】
別の例示的な実施形態では靴の中に、別の例示的な実施形態ではバッグ等のシェルと容器とを備える他の製品の中に水を浸みこみ難くするために、別の例示的な実施形態ではシェルと容器との端部であってシェルと容器とが接する箇所に耐水材料をコーティングし、シェルと容器とを一緒に固定して圧縮すると、このような材料によって浸透の障壁になるようにする。別の例示的な実施形態では、関連する端部をコーティングするこのような材料が永久発泡体（ｐｅｒｍａｎｅｎｔ  ｆｏａｍ）である。本考案によれば、現在又は将来に関わらずその時に利用可能なふさわしい材料の中からこのような端部をコーティングする耐水性の材料を選択することができる。
【００４６】
シェルを取り外することができるので容器を廃棄する必要なくシェルを交換することができ、別の例示的な実施形態では、例えば容器の損傷、これに限定しないがすり減りや破れにおいて、シェルを破棄する必要なく保持可能であって次の容器と共に使用することができる。
【００４７】
一つのバッグと同じような方法で旅行鞄、その他のバッグ、靴のいずれにおいても、シェルに追加部品を取り付けることができる。追加部品としては、例えば、別の例示的な実施形態ではパネル、別の例示的な実施形態ではポケット、別の例示的な実施形態では発光素子（ｌｕｍｉｎｅｓｃｅｎｃｅ）、別の例示的な実施形態ではスキン等のカプセル化部材、別の例示的な実施形態では電源デバイスへの通電、別の例示的な実施形態では電子機器であるが、これらに限定されない。
【００４８】
パネルの場合のように、シェルの通電によって、別の例示的な実施形態ではシェル内の素子を、別の例示的な実施形態ではシェル上の追加部品を、別の例示的な実施形態では容器内の素子を作動させることができる。電動素子は、別の例示的な実施形態では容器とは独立して、又は、例えばこれらに限定するものではないが、別の例示的な実施形態ではシェル内の電子処理モジュール又は容器内のシェルにおける、シェルに指令を送る電子処理モジュールと協働して作動可能である。別の例示的な実施形態では例えばこれに限定するものではないが制御装置として機能するスマートフォン内の外部電子処理モジュールと関連して電子処理モジュールがシェルに指令を送る。別の例示的な実施形態では、電子識別モジュールによって認証された権限のない者によってバッグ又はシェル、又は靴が盗まれそうになった時に、シェルを起動するよう通電することによってシェルのライトを点滅させ、警告音を鳴らす。別の例示的な実施形態において、シェルに電子処理モジュールを組み込むことができる。本考案によれば、電流を供給する電源について選択することができ、例えば、別の例示的な実施形態において再充電可能なバッテリ、別の例示的な実施形態では従来の時計用電池、別の例示的な実施形態ではモバイルバッテリ、別の例示的な実施形態では、バッグ上の太陽電池を補足する蓄電ユニットであるがこれらに限定されない。
【００４９】
図１９に取り外し可能なカプセル化部材を備えた眼鏡フレーム１０を示す。眼鏡のリムと鼻に接する部分（ｎｏｓｅｐｉｅｃｅ）とにカプセル化部材をかぶせる。フレームのどの部分にカプセル化部材を取り付けるかについては、設計上の好みである。例えば、鼻に接する部分はフレームの中のままとしてカプセル化部材を取り付けなくてもよいが、必ずしもそうではなくてもよい。フレームのヒンジ部分を揺動可能とし、エンドピースのカプセル化部材とリムのカプセル化部材とを個別にし、且つ、鼻に当たる部分にカプセル化部材を取り付けるかどうかについての設計を好みに応じたものとするために、本実施形態においてリムのカプセル化部材は個別とする。別の実施形態において、リムと鼻に当たる部分とのカプセル化部材を連続的にする。カプセル化部材を成形可能とするか二つの部品を固定したものにするかについては設計上の好みである。フレームのヒンジ部分を揺動可能とし、エンドピースのカプセル化部材とリムのカプセル化部材とを個別にし、且つ、鼻に当たる部分にカプセル化部材を取り付けるかどうかについての設計を好みに応じたものとするために、本実施形態においてリムのカプセル化部材は個別とする。別の実施形態において、リムと鼻に当たる部分とのカプセルを連続的にする。カプセル化部材を成形可能とするか二つの部品を固定したものにするかについては設計上の好みである。
【００５０】
幾つかの実施形態では、眼鏡は、それが処方されたものであれサングラスや他のもの（３Ｄ又はディスプレイ画面を組み込んだもの、又は保護眼鏡等）であれ、別の例示的な実施形態ではワイヤからなる下部構造（ｓｕｂｓｔｒｕｃｔｕｒｅ）としての単純なフレームを備える。このフレームは眼鏡の鼻に当たる部分の周りのレンズを保持するリムからヒンジ部へと延び、次に眼鏡のテンプル／エンドピースへと延びる。フレームは取り外し可能なカプセル化部材で囲えるよう十分に薄いものであり、既存のカプセル化部材を別のカプセル化部材に取り換えてもフレームに適合できるようになっている。
・カプセル化部材は、カプセル化部材内のフレームと同じ素材、外観、又は感触である必要はない。
・カプセル化部材を交換できるので、下部構造を交換する必要なく、例えばカジュアル、オフィス、フォーマルなシーンで眼鏡の外部を変えることができる。
・別の例示的な実施形態では、カプセル化部材は成形可能であり（更に、カプセル化部材を交換する過程で複数回フレームと一体化したり離したりするのに十分な張力を有しており）、眼鏡技師によって着用者に最適に収まるようにフレームを一旦調整したならばカプセル化部材によってフレームをそのように支持することができる。
・別の例示的な実施形態では、カプセル化部材の継ぎ目を介してカプセル化部材内にフレームを入れた後にフレーム周辺でカプセル化部材を成形する、又は、カプセル化部材をワイヤの周りで閉じる前に、継ぎ目を介してワイヤをカプセル化部材の溝にはめ込み、ワイヤをカプセル化部材の中に埋め込む。
・別の例示的な実施形態では、カプセル化部材は、ワイヤの周りで一体化するよう二等分されたものであってもよく、例えば、限定するものではないが、その継ぎ目は、カプセル化部材の頂点と底とに沿っており、利用可能な手段により二等分したものを分離可能な状態で固定する。そのような固定手段は、例えば、限定するものではないが、カプセル化部材を交換するために分離可能であり、眼鏡の通常の使用中に二等分されたものを一体に保持するのに十分に堅固である、別の例示的な実施形態では磁気、別の例示的な実施形態では粘着性、別の例示的な実施形態では幾つかの小さなネジ等である。別の例示的な実施形態では、カプセル化部材の二等分されたもののうちの一方の外観が他方の外観と一致している必要はない。別の例示的な実施形態では、二等分されたもののうちの一方、例えば、頭部から離れて外側に面する部分に、例えば、装飾、電子機器や発光素子が取り付けられていてもよく、これらに限定されない。
・ヒンジ部が自由に機能するように、別の例示的な実施形態においてカプセル化部材がキットを構成する部品に分かれている。一部分は、テンプル／エンドピースのうちの一方にフィットし、一部分はテンプル／エンドピースのうちの他方にフィットし、他の部分がリムにフィットする。同様に、リムの周りのカプセル化部材が、二つの部分に分かれており、一方が左側リムでもう一方が右側リム用であって、リムの周りのフレームの構造が別の例示的な実施形態での一体型の構造とは違って別々になっていてもよい。
・カプセル化部材をこのように各部分に分離することで、外観、感触（例えば、必ずしも限定されないが材質）、及び機能のいずれか乃至全てを変更できるため、一つの部分に追加の機能、別の機能等を持たせることができる。例えば、別の例示的な実施形態において、テンプル／エンドピースのうちの一方にＧＰＳを、耳に近いもう一方のエンドピースにマイクロスピーカーを有し、無線トランシーバーと関連して警告音としてブザーを鳴らすか、録音またはライブ音声を提供してもよい。
・別の例示的な実施形態において、カプセル化部材に電気を伝えるために、その中にフィラメントを配置する。別の例示的な実施形態では、フィラメントは、カプセル化部材の一つの部分のみに、別の例示的な実施形態ではカプセル化部材の幾つかの部分に、別の例示的な実施形態ではカプセル化部材の全ての部分に、存在しており、例えば、フィラメントが電源と接していると、別の例示的な実施形態ではカプセル化部材の中の、別の例示的な実施形態ではカプセル化部材上の、別の例示的な実施形態ではカプセル化部材が有する、別の例示的な実施形態ではカプセル化部材の中の作動可能素子、又は別の例示的な実施形態ではカプセル化部材の作動可能コーティング、又は別の例示的な作動可能材料に、小電流を伝える。別の例示的な実施形態において、電源としては例えば、バッテリ、ピンヘッド電池が挙げられるがこれらに限定されない。
・本考案によれば、電流の伝達をいつまで続けるかについて選択できる。
□別の例示的な実施形態において、フィラメントが伝達接点で電源と接している限り電流の伝達を続けてもよい。
□別の例示的な実施形態において、スイッチがオンの時にのみ伝達を続けてもよい。
□別の例示的な実施形態において、スイッチがフィラメント内にあってもよい。別の例示的な実施形態において、スイッチはエンドピースの先端にある電気機械スイッチである。スイッチは、例えば、限定するものではないが、以下に示すもののいずれかによって制御する。
−別の例示的な実施形態において、エンドピースの先端を指と親指とでつまんでアクセスする小さなボタン
−別の例示的な実施形態では、例えばこれに限定するものではないスマートフォン上にある遠隔アプリケーションからの近距離無線通信（ＮＦＣ）を介した無線
−別の例示的な実施形態では、スイッチと関連する音声認識プロセッサによる音声コマンド、別の例示的な実施形態では、スイッチと関連するジェスチャ認識プロセッサ上で指を通過させる波、及び別の例示的な実施形態では、眼鏡を外して振ることで作動するスイッチと関連するモーションセンサー経由のうちのいずれかであってこれらに限定されない。
・別の例示的な実施形態では、カプセル化部材によってフレームに電子処理を導入可能である。電子処理モジュールによって、例えば、仮想現実、拡張現実、又は強調に適したレンズと連携させる他、特に、必ずしもそうである必要はないが、スマートフォン、広告送信装置、例えば他の人の眼鏡の他のカプセル化部材内の遠隔機能と無線で関連付けた視覚的強調等を促進可能である。同様に、別の例示的な実施形態では、カプセル化部材での電子処理を、例えばこれに限定されないが、イヤホン等の皮膚に接触するデバイス又は加速度計、人を補助できるだけでなくコンテンツを提示して役に立つ可動性デバイス等における他の電子処理と関連付けることができる。別の例示的な実施形態において、カプセル化部材に小さなアンテナを収容することができる。
【００５１】
幾つかの実施形態のうち別の例示的な実施形態では、イヤリングがワイヤからなる下部構造のカプセル化部材を備える。このカプセル化部材は取り外し可能であって、既存のカプセル化部材を下部構造にあった別のカプセル化部材に交換することができる。カプセル化部材を交換できるので、下部構造を交換する必要なく、例えばカジュアル、オフィス、フォーマルなシーンでイヤリングの外部を変えることができる。
・このイヤリングを耳、耳たぶ、又は耳の他の通常の箇所からぶら下げるために、下部構造には固定具が備わっている。このような固定具は、別の例示的な実施形態ではクリップであって、別の例示的な実施形態ではピアスであって、別の例示的な実施形態では把持するための他の手段である。別の例示的な実施形態では、このような固定具を変更することができ、耳からイヤリングをぶら下げるのにクリップにしたりピアスにしたり他の手段にしたりと固定具を交換する選択肢が装着者に与えられる。
・下部構造の材質は、カプセル化部材を支持するのに十分堅固であれば、設計の好みである。
・ワイヤの下部構造について、製造者によってカプセル化部材が適合する特定の形状を作り出すことができる。イヤリングという用語によってリングを含意するが、カプセル化部材はリングである必要はない。別の例示的な実施形態では、下部構造の末端がイヤリングを耳からぶら下げる固定具内にあり、別の例示的な実施形態では、下部構造は固定具を覆っており（例えば、必ずしもではないが、「射撃の的の中心のような（ｂｕｌｌｅｙｅ）」構成で、固定具から下部構造が突出している）、別の例示的な実施形態では、磁気によって下部構造の適切な金属を耳たぶの対応する反対側にある小さなプレートに引き付けてピアスなしにイヤリングを耳たぶの所定の位置に保持する構造である。
・カプセル化部材は、カプセル化部材内のワイヤと同じ素材、外観、又は感触である必要はない。
・ピアス、クリップ等の耳たぶへのアタッチメントが耳たぶにアクセス可能となるように、カプセル化部材は、ピアス、クリップ等の耳たぶへのアタッチメントのところまで延出しない。
・別の例示的な実施形態では、カプセル化部材は成形可能である（更に、カプセル化部材を交換する過程で複数回一体化したり離したりするのに十分な張力を有する）。
・別の例示的な実施形態では、カプセル化部材の継ぎ目を介してカプセル化部材内にワイヤを入れた後にワイヤ周辺でカプセル化部材を成形する、又は、カプセル化部材をワイヤの周りで閉じる前に、継ぎ目を介してワイヤをカプセル化部材の溝にはめ込み、ワイヤをカプセル化部材の中に埋め込む。
・別の例示的な実施形態では、カプセル化部材は、ワイヤの周辺で一体化する幾つかの部分からなり、例えば、限定するものではないが、その継ぎ目がカプセル化部材の頂点と底とに沿っていてもよい。別の例示的な実施形態では、カプセル化部材を交換するために分離可能な状態としながら、イヤリングの通常の使用中に半分に分かれたものを一体に保持するのに十分に堅固である、所定の手段によりこれらの部分を固定する。そのような手段としては、別の例示的な実施形態では磁気であるがこれに限定されない。カプセル化部材のある部分の外観は別の部分の外観と一致している必要はない。ある部分によって、例えばこれらに限定されないが、別の例示的な実施形態では装飾を、別の例示的な実施形態では電子機器を、別の例示的な実施形態では発光素子を提示する一方、別の部分はそれ自体を提示してもよい。別の例示的な実施形態において、このような部分が半分であって、下部構造の周りで閉じている。別の例示的な実施形態では、ある部分によってある種の機能性が提示される一方、別の部分によって別の種類の機能性が提示される。
【００５２】
別の例示的な実施形態において、カプセル化部材の一つの部分にあるフィラメント、別の例示的な実施形態ではカプセル化部材の幾つかの部分にあるフィラメント、別の例示的な実施形態ではカプセル化部材の全ての部分にあるフィラメントは、例えば、フィラメントが電源と接していると、カプセル化部材の中、上又はカプセル化部材と共にある、別の例示的な実施形態ではＬＥＤ等の作動可能素子、別の例示的な実施形態では発光素子等の作動可能コーティング、又は別の例示的な実施形態では色が変わる等の作動可能材料に、小電流を伝える。別の例示的な実施形態において、電源としては例えば、ピンヘッド電池等のバッテリが挙げられるがこれらに限定されない。本考案によれば、電流の伝達のタイミングについて選択できる。
□別の例示的な実施形態において、フィラメントが別の例示的な実施形態において伝達接点で電源と接している限り電流の伝達を続けてもよい。
□別の例示的な実施形態において、スイッチがオンの時にのみ伝達を続けてもよい。
□別の例示的な実施形態において、スイッチが電源とフィラメントとの間にあってもよい。別の例示的な実施形態において、電気機械スイッチがカプセル化部材の中にある。スイッチは、例えば、限定するものではないが、以下に示すいずれかによって制御する。
−別の例示的な実施形態において、イヤリングを指と親指とでつまんでアクセスする小さなボタン
−別の例示的な実施形態では、例えばこれに限定するものではないスマートフォン上にある遠隔アプリケーションからの近距離無線通信（ＮＦＣ）を介した無線
−別の例示的な実施形態では、スイッチと関連する音声認識プロセッサによる音声コマンド、別の例示的な実施形態では、スイッチと関連するジェスチャ認識プロセッサ上で指を通過させる波、及び別の例示的な実施形態では、イヤリングを外して振ることで作動するスイッチと関連するモーションセンサー経由のうちのいずれかであってこれらに限定されない。
【００５３】
別の例示的な実施形態では、リング、ロケット、ブレスレット等のイヤリングの電子処理機能は、カプセル化部材内に収容され、カプセル化部材は、電子処理モジュールに電力を供給するための装置を備え、外部コントローラーと連携して動作可能であって、例えばスマートフォンのアプリケーションを介して指令を受け取ったり、自動で又は外部及び内部制御により内部指令を実行するがこれに限定するものではない。電子処理についての指令モード、一対の片側のイヤリングのみに電子処理機能があるのか両方にあるのか、及び一対のイヤリング間で電子処理により同じ機能を伝えるのか違う機能を伝えるのかについては好みである。別の例示的な実施形態では、着用者が聞くのにちょうど十分聞こえるように互いに異なるビープ音を一対のイヤリングが鳴らすので、全地球測位システム（ＧＰＳ）を利用したスマートフォンのアプリケーションからの無線近距離通信（ＮＦＣ）によって地理上の方向指示に従って着用者に対して左側又は右側でビープ音を鳴らすことができる。又は、加速度計と近接物体を検出するセンサとを利用したスマートフォンのアプリケーションからのＮＦＣとスマートマッピングとによって、着用者に対して左又は右のビープ音を鳴らして障害物を回避させたり、特定のビーコンから信号を受信できるスマートフォンからのＮＦＣによって着用者を例えばこれに限定するものではないがモールの店舗等の特定の場所に誘導したりできる。例えば、これに限定するものではないが、イヤリングの着用者が視覚障害を持っていたり、荷物と子供とで手がふさがっていたりする場合、或いは単に便利さのためにも、イヤリングからビープ音が聞こえるので電話を持ち上げることなく手が自由になる。電子処理機能を美観上魅力的なイヤリングのカプセル化部材に埋め込んで耳の中、耳の近く、又は一般的に身体の上のいずれかに身に着けることは、少なくとも一部の人にとっては機械的な装置を身に着けることよりも好ましいことがある。別の例示的な実施形態では、電子処理モジュール及び通電部がイヤリングのフレーム内にあり、電子処理によって提供される機能を失うことなくカプセル化部材の交換が可能である。
【００５４】
幾つかの実施形態では、眼鏡フレーム、イヤリングに加えて、宝石類、例えば、これに限定するものではないが、別の例示的な実施形態でのリング、別の例示的な実施形態でのロケット、別の例示的な実施形態でのブレスレットが、別の例示的な実施形態においてワイヤからなる下部構造のカプセル化部材を備える。このカプセル化部材は取り外し可能であって、既存のカプセル化部材を下部構造にあった別のカプセル化部材に交換することができる。カプセル化部材を交換できるので、下部構造を交換する必要なく、例えばカジュアル、オフィス、フォーマルなシーンでイヤリングの外部を変えることができる。
【００５５】
このようなカプセル化部材の一つの部分、幾つかの部分、又は全ての部分にあるフィラメントは、例えば、フィラメントが電源と接していると、カプセル化部材の中、上又はカプセル化部材と共にある、例えばこれに限定するものではないが、別の例示的な実施形態では作動可能素子、別の例示的な実施形態では作動可能コーティング、別の例示的な実施形態では作動可能材料に小電流を伝える。別の例示的な実施形態において、電源としては例えば、ピンヘッド電池等のバッテリが挙げられるがこれに限定されない。本考案によれば、電流の伝達のタイミングについて選択できる。
□別の例示的な実施形態において、フィラメントが伝達接点で電源と接している限り電流の伝達を続ける。
□別の例示的な実施形態において、スイッチがオンの時にのみ伝達を続けてもよい。
□別の例示的な実施形態において、スイッチが電源とフィラメントとの間にあってもよい。別の例示的な実施形態において、電気機械スイッチがカプセル化部材の中にある。スイッチは、例えば、限定するものではないが、以下に示すもののいずれかによって制御する。
−別の例示的な実施形態において、イヤリングを指と親指とでつまんでアクセスする小さなボタン
−別の例示的な実施形態では、例えばこれに限定するものではないスマートフォン上にある遠隔アプリケーションからの近距離無線通信（ＮＦＣ）を介した無線
−別の例示的な実施形態では、スイッチと関連する音声認識プロセッサによる音声コマンド、別の例示的な実施形態では、スイッチと関連するジェスチャ認識プロセッサ上で指を通過させる波、及び別の例示的な実施形態では、宝石類を外して振ることで作動するスイッチと関連するモーションセンサー経由のうちのいずれかであってこれらに限定されない。
【００５６】
宝石類、例えば別の例示的な実施形態ではリング、別の例示的な実施形態ではロケット、別の例示的な実施形態ではブレスレット等に電子処理機能を導入するために、電子処理モジュールに給電するために通電を行う装置を備えたカプセル化部材によってこのような電子処理機能を受け入れる。幾つかの実施形態では、電子処理モジュールが外部制御装置と関連しており、スマートフォンのアプリケーションから指令を受け取る。別の例示的な実施形態において、電子処理モジュールは自動で内部指令を実行する。別の例示的な実施形態において、外部及び内部制御はいずれも選択することができる。別の例示的な実施形態では、電気的に作動可能なリングの電子処理によって、生体認証データを様々な色のＬＥＤのうちのいずれかをオンにする指令に変換し、リングの着用者の気分に適した色を選択する。別の例示的な実施形態では、電子処理モジュール及び通電部がリングのフレーム内にあり、電子処理によって提供される機能を失うことなくカプセル化部材の交換が可能である。
【００５７】
別の例示的な実施形態では、宝石がボディピアスであり、イヤリングのように容易に取り外すことはできない。別の例示的な実施形態では、ボディピアスは通常薄いので、ボディピアスのカプセル化部材も薄くする。ボディピアスのこのように薄いカプセル化部材であっても機能を有することができ、別の例示的な実施形態ではカプセル化部材の上に発光性のコーティングを施す。
【００５８】
幾つかの実施形態において、バッグは、通常女性が持つ（但し、男性もバッグを持つ選択をする場合があるが）のにふさわしい直線的なショルダーバッグである。
・二組のパネルをバッグの側面に貼る。本考案によれば、バッグとパネルとの材料を別々に選択することができ、別の例示的な実施形態ではポリウレタンであって、別の例示的な実施形態では自然素材であって、別の例示的な実施形態では耐水コーディングを施した厚紙の形式である。別の例示的な実施形態では境界部を縫製することによって各パネルを強化する。
・スナップによってパネルがバッグの側面に取り付けられており、同じ寸法の別のパネル（必ずしも同じ素材やイメージである必要はない）と交換可能である。スナップの二つの組み合わせ部品のうちの一つは、バッグの素材上に組み込む。スナップの組み合わせ部品のうちのもう一つは、各パネルの裏側であって、各スナップの二つの部品がしっかりと一体化するようパネルの該当箇所に組み込む。スナップの数は、パネルの取り付け要件に従うものとし、例えば、限定するものではないが、パネルの面積、材料の重量、及び設計者が得たいと考える外観等の要件に従う。スナップの位置も任意であるが、各直線パネルの外周に沿うような配置とするのが最適である。一実施形態では、パネルの上部に沿って４つのスナップ、パネルの下部に沿って４つのスナップ、パネルの各短辺の中央部に１つのスナップとし、各パネルについて計１０個のスナップとする。
□別の例示的な実施形態では、別の手段、例えばこれに限定されないが面ファスナーによってパネルをバッグに固定する。
□パネルセットは、他のセットと交換可能であって、又は、各パネルを、反対側のパネルとは異なるパネルに交換可能である。
□別の例示的な実施形態では、一方のパネル、両方のパネル、又は複数のパネルが、電流によって作動する一以上の素子を収容する。
□別の例示的な実施形態では、一以上の電子処理モジュールが、シェル、一方のパネル、両方のパネル、又は複数のパネルの中、その上、又はそれらと共にある。
【００５９】
幾つかの実施形態において、バッグは台形（例えば、適切なトートバッグ）である。
・バッグのシェルの各側面には、様々な形状の切欠きがアレイ状に配置されている。形状としては、限定されないが、例えば、別の例示的な実施形態では星形、別の例示的な実施形態では三日月型、別の例示的な実施形態では様々な形状の組み合わせである。バッグの側面内のスリーブ内にパネルを挿入すると、パネルが表示されるが、例えば、切欠きを通して、別の例示的な実施形態では色が、別の例示的な実施形態ではパターンが、別の例示的な実施形態では写真が表示される。別の例示的な実施形態において、バッグが十分に大きな端部を有する形状であれば、バッグのシェルの切欠きと、スリーブと、パネルとの組み合わせによってバッグの端部を同様に修正可能である。
・別の例示的な実施形態において、バッグのシェルの側面の内側にスリーブを備える。別の例示的な実施形態では、アレイ状の切欠きの領域とスリーブの対応する領域とが共に直線的であって、スリーブとパネルとの切断が簡単である。別の例示的な実施形態において、バッグの形状が台形であって、スリーブとパネルとが直線的である。別の例示的な実施形態において、バッグの形状が楕円形であって、スリーブとパネルとが直線的である。別の例示的な実施形態において、バッグの形状とスリーブとパネルの形状とが異なる。別の例示的な実施形態において、バッグの形状とスリーブの形状とパネルの形状とが異なる。交換可能なパネルは、スリーブ内に入れられるよう十分薄く且つ強く引っ張らなければスリーブから滑り出ないよう十分な厚さがある。
・別の例示的な実施形態では、スリーブ内にあるパネルに通電することで、バッグのシェルの切欠きを通じてパネルの内容物を照らすことができる。
【００６０】
幾つかの実施形態において、特に限定されないが、メディア（ｍｅｄｉａ）を示すデジタル表示装置であって、テレビセット、フォトフレーム、タブレットであるがこれらに限定されない。
・このような装置は、外向きのスクリーン、電子処理装置、電気素子等の素子を含むシャーシ、およびケースを備える。
・ケースによって、スクリーンの形状に応じた切欠きが提供される。このような装置は切欠きを通じて表示する。ケースによってスクリーンの周囲の境界が提供される。
・シェルはこの境界に取り付ける。シェルは取り外し可能である。シェルは別のシェルに交換可能であって、様々なシェルの中から選択して、外観、感触、画面を拡張する機能を変更することができる。
・シェルは切欠きを有する：
□切欠きは画面の形状に対応しているので、画面が見えるようにした状態でシェルによって境界を覆う。
□ケースの前側にアクセスが必要な例えばこれらに限定されないがカメラ、赤外線トランシーバー、マイク等がある場合には、これらの素子の位置に対応する切欠きをシェルが備える。
□シェルにはケースの後ろ側の形状に応じた切欠きがあり、装置から熱を放散することができる。
・シェルを境界に取り外し可能に取り付けるには、例えばこれに限定するものではないがグリップ（ｇｒｉｐｓ）等の現在又は将来に関わらずその時に利用可能なふさわしい手段をアレイ状に配置する。取り付け手段は、シェルの後ろ側に境界と同一平面となるように配置される。スナップや面ファスナー又は粘着性（例えば両面テープ）のように取り付け手段が二つの部品からなる場合には、シェル上にある手段の位置と対応する位置において境界上に受け入れ部分を導入する必要がある。
・別の例示的な実施形態において、装置の境界を最小限にし、シェルをケースの側面に貼り付ける。
・別の例示的な実施形態において、装置の機械のうちの幾つかが離れた位置にあり、収容するケースを薄くし、シェルをケースの側面と背面の端部との両方に取り付ける。
・別の例示的な実施形態では、装置への衝撃を和らげるような素材からなる構成をシェルが備える。
・別の例示的な実施形態では、電流によって作動可能な、例えばこれに限定するものではないがＬＥＤ等の素子をシェルが備え、その電源は、シェル内、装置のシャーシ内、又は外部からのいずれかである。
・別の例示的な実施形態では、同様に電力供給を受ける一以上の電子処理モジュールがシェルの中、シェル上、又はシェルと共にある。電子処理モジュールは、独立していてもよい。電子処理モジュールは、ディスプレイ装置の、別の装置の同様のシェルの、又はその他の外部電子処理と、典型的には但し必ずしもそうではないが無線により関連付けられていてもよい。
【００６１】
幾つかの実施形態において、例えば、これに限定するものではないが、写真、広告のプレゼンテーション、又は布地等の材料片である。
・この材料片はパネル上にある。
□パネルは、例えばこれらに限定されるものではないが、別の例示的な実施形態では厚紙、別の例示的な実施形態ではプラスチック、別の例示的な実施形態では金属であって弾性を有する。
□パネルは薄い。
□その形状は、パネルの上にある材料片の形状に対応する。
・材料片の上には半透明のカバーがある。
□その材料は別の例示的な実施形態ではガラス、別の例示的な実施形態ではプラスチック、別の例示的な実施形態ではその他の材料であって、いずれにせよ堅固である。
□カバーは薄い。
□カバーの形状は、材料片の形状に対応する。
・別の例示的な実施形態では、クリップによってパネル、材料片、及びカバーを挟んだものを一緒に保持する。
・パネル、材料片、及びカバーを挟んだものをシェル内に取り出し口を介して入れる。
□取り出し口の大きさは、このような組み合わせの長さ、厚み、幅に対応する大きさ以下であるため、組み合わせたものは接着せずとも所定の場所に留まる。
□別の例示的な実施形態では、組み合わせたものを入れる取り出し口は、シェルの裏側の上部にある。
□あるバージョンでは、取り出し口はシェルの側面にある。
・別の例示的な実施形態では、電流によって作動可能な、例えばこれに限定するものではないがＬＥＤ等の素子をシェルが備え、その電源は別の例示的な実施形態ではシェル内、別の例示的な実施形態ではパネル内、又は別の例示的な実施形態では外部にある。
・別の例示的な実施形態では、電力供給を受ける一以上の電子処理モジュールが、別の例示的な実施形態ではシェルの中、別の例示的な実施形態ではシェル上、又は別の例示的な実施形態ではシェルと共にある。別の例示的な実施形態において、電子処理モジュールは独立している。電子処理モジュールを、別の例示的な実施形態ではパネルの機能と、別の例示的な実施形態では別の同様のシェルの機能と、別の例示的な実施形態ではその他の外部機能と、典型的には但し必ずしもそうではないが無線により関連させる。
【００６２】
幾つかの実施形態において、従来のものの代わりの靴であって、上部が足を入れる容器であり、この容器の靴底と、靴底と容器とに取り外し可能に取り付ける分離可能なシェルを有する。
・足の容器と靴底とはこれまで取り外しができないように結合されて製造されてきた。
□容器がシェルで囲まれているので、美観には関係なく容器を堅固な材料で形成可能である。
□別の例示的な実施形態において大量生産市場のバージョンでは、各容器は標準的な大きさである。
□別の例示的な実施形態においてオーダーメイドのバージョンでは、各容器は足に応じてオーダーメイドする。
・シェルを取り付ける手段によって、現在のシェルを別の異なるシェルに置き換えるために取り外し可能となる。
□シェルは、靴底に向かって下側へと容器を覆う。シェルは靴底を包囲しない。例えばこれに限定するものではないが別の例示的な実施形態では靴紐、別の例示的な実施形態では面ファスナー、別の例示的な実施形態では留め金、別の例示的な実施形態ではボタン、別の例示的な実施形態ではジッパー、別の例示的な実施形態では粘着性（例えば両面テープ）等の靴を閉じる手段をシェルが備えておらず、靴が着脱の容易な靴ではない場合、容器を閉じる手段へのアクセスを可能とする切欠きをシェルに備える。
□シェルを靴底に取り外し可能に取り付けるには、例えばこれに限定するものではないが別の例示的な実施形態ではネジ、別の例示的な実施形態では粘着性、別の例示的な実施形態では磁性等の現在又は将来に関わらずその時に利用可能なふさわしい手段を用いる。別の例示的な実施形態では、シェルと靴底の上端部との互いに対応する箇所でシェルの底端部の周りのアレイ状の小さなネジを靴底の上端部の周りの受け入れプラグ内で締め付け、取り外しは可能としながら靴の使用中はシェルと靴底とを一緒に維持する。別の例示的な実施形態では、アレイ状のネジとして、シェルの上部のネジと容器上部の対応する箇所の受け入れプラグ並びにシェルの底端部周辺のネジと靴底の上端部周辺の受け入れプラグとが含まれる。
□シェルを容器に取り外し可能に取り付けるには、例えばこれに限定するものではないが別の例示的な実施形態ではネジ、別の例示的な実施形態では粘着性、別の例示的な実施形態では磁性等の現在又は将来に関わらずその時に利用可能なふさわしい手段を用いる。
・シェルの材料は、現在又は将来に関わらずその時に利用可能な任意の材料であって、別の例示的な実施形態では（合成）皮革等の一般的な靴であって、別の例示的な実施形態では硬質プラスチック等の一般的でないもの、別の例示的な実施形態では複合材料（ｈｙｂｒｉｄ）のいずれかであってよい。
・シェルを交換することで靴を強化できる。例えばこれに限定されないが、別の例示的な実施形態では、耐水性のない材料のシェルを耐水性材料のシェルに交換することによって耐水性を強化したり、別の例示的な実施形態では作業現場での安全のために衝撃に耐えるよう柔らかい材料のシェルを硬い材料のシェルと交換したり、別の例示的な実施形態では普段使いのシェルをランニング等の運動の生体認証に関連する素子を含むシェルと交換したりする。
・別の例示的な実施形態では、電流によって作動可能な、例えばこれに限定するものではないがＬＥＤ等の素子をシェルが備え、その電源はシェル内、装置のシャーシ内、又は外部からのいずれかである。
・別の例示的な実施形態では、シェル内のフィラメントによって電流が伝わり、一以上の電子処理モジュールが、別の例示的な実施形態ではシェルの中、別の例示的な実施形態ではシェル上、又は別の例示的な実施形態ではシェルと共にあり、このような電流によって電子処理モジュールに電力を供給する。別の例示的な実施形態において、電子処理モジュールは独立している。電子処理モジュールを、別の例示的な実施形態ではパネルの機能と、別の例示的な実施形態では別の同様のシェルの機能と、別の例示的な実施形態ではその他の外部機能と、典型的には但し必ずしもそうではないが無線により関連させる。
【００６３】
別の例示的な実施形態において、バッグ上のパネルである。
・パネルは電気作動可能である。
・電流は、そのような電流に十分耐えうるフィラメントによって供給されパネルの作動可能素子と接する。フィラメントの経路は、電流と接するパネル上の点からパネルの電気作動可能素子との接点まで延びる。パネル内のフィラメントまでの電流の伝達点は、例えば次のいずれかである：
□別の例示的な実施形態では、スナップ等の締結具を変形したものであって、パネル内のフィラメントとバッグの基部から延びるフィラメントとの間に安全な電気接点を含み、バッグ内の電源から電流を供給する。
□別の例示的な実施形態では、必ずしもそうでなくてもよいが雄雌コネクタ等の手段により、パネルの後ろ側の受け入れ接点の位置に対応するバッグのシェル内の導電性接点。
□別の例示的な実施形態では、外部接点を省略するためにパネル内部にある電源であって、例えばこれらに限定するものではないが、別の例示的な実施形態では太陽電池や薄型電池、別の例示的な実施形態では従来の時計用電池やピンヘッド電池、別の例示的な実施形態では従来の時計用電池等であってこの目的に十分なものとする。
・電源がバッグ内にある場合には、このような電源の最適な位置はアクセス可能なフラップ部の内部であって、別の例示的な実施形態ではバッグを使用する際できるだけ邪魔にならないようにバッグの底部の角である。フラップ部は、例えばこれに限定するものではないが、別の例示的な実施形態ではスナップ、別の例示的な実施形態では面ファスナー、別の例示的な実施形態ではジッパー等のふさわしい締結手段によって、フラップ部を開いてバッテリを取り換える必要がある時までは閉じたままにしておく。別の例示的な実施形態ではこのバッテリは従来の時計用電池である。拡張機能としてバッテリの容器（ｐｏｄ）に対応するバッグの外側にジャックを導入するが、別の例示的な実施形態ではバッテリを再充電するための従来の時計用電池であって、別の例示的な実施形態では取り外さない従来の時計用電池であって、別の例示的な実施形態にでは代替手段（ａｌｔｅｒｎａｔｉｖｅ）である。別の例示的な実施形態において、アクセス可能なフラップ部内にある電源は、適切な軽量の再充電可能なバッテリであって、別の例示的な実施形態ではこの用途に十分な従来の時計用電池である。そのようなバッテリは、別の例示的な実施形態では従来の時計用電池であり、バッグ並びにパネルのその他の機能に給電するのに役立てることができる。別の例示的な実施形態では、バッグが電子処理モジュールを収容しており、この電子処理モジュールはバッグ内に侵入しないよう最適な薄さの奥行きを有する。別の例示的な実施形態ではこの電子処理モジュールがバッテリと同じフラップ部内にあり、別の例示的な実施形態では従来の時計用電池であり、別の例示的な実施形態ではこの電子処理モジュールが別のフラップ部内にある。
【００６４】
別の例示的な実施形態において、バッグ上のパネルである。
・電気的に作動可能なフィルムをパネルの外側にコーティングする。
・パネルには、適度な電子処理モジュールも組み込まれている。
・必要な電流がない場合にはこのフィルムは半透明で、選択に応じて例えば白色等のパネルの元の色を表示する。パネルの外観は設計上の好みによる。電流が導入されると、フィルムは例えば緑色等に点灯し、必ずしもそうではないが車両等に警告を発することもできる。別の例示的な実施形態では、電子処理と連携して、パネルの点灯色を変えることもでき、例えば通常の警告は緑色であって、ビーコンとして赤色、及び最終的には点滅させる。別の例示的な実施形態では，点滅が繰り返し音声の警告を伴う。別の例示的な実施形態では、加速度計を用いたセンサで消費者が転倒したことを検出した場合に、照明と警告とを高周波信号と共に発生する。
【００６５】
別の例示的な実施形態において、バッグ上のパネルである。
・パネルにはＬＥＤが組み込まれる。
・複数のＬＥＤを集合体とすることで作動すると懐中電灯として十分機能する。
・集合体とする代わりに、パネル上に一つの大きなＬＥＤとしても懐中電灯として十分である。
【００６６】
別の例示的な実施形態において、容器の周りにシェルを備える旅行鞄である。
・シェルには一以上のＬＥＤが組み込まれる。
・別の例示的な実施形態ではシェルの外側にはＬＥＤの集合体があり、作動すると懐中電灯として十分である。或いは、別の例示的な実施形態では、ＬＥＤの集合体の代わりとして一つの大きなＬＥＤがあり、作動すると懐中電灯として十分である。例えば必ずしも暗闇だけに限るわけではないが暗闇において、特に旅行者が不慣れな環境におり、懐中電灯と旅行鞄とバッグ等を同時に持っていて手が自由に使えない場合等に車両のヘッドライトのようにこの懐中電灯は有用である。別の例示的な実施形態では、複数のＬＥＤのピッチにより旅行鞄を引いている旅行者の前方の地面に明かりを照らす。
・照明回路のオンオフは、別の例示的な実施形態ではシェル上のアクセス可能なボタンにより消費者が行う、例えばこれに限定するものではないが、別の例示的な実施形態ではスマートフォン等の外部装置のアプリケーションから無線により遠隔で音声コマンドにより行い、別の例示的な実施形態では複数の手段の１以上によって行う。
別の例示的な実施形態では、交換可能なシェルがアレイ状のＬＥＤを有し、靴をしっかりと覆う。
・ＬＥＤは、シェル外側のシェルに向かう傾斜、つま先の端部外側の周辺、又はシェル前方外側上のいずれか又は全てにある。
・ＬＥＤのピッチによって、車のヘッドライトと同様に地面に向かって外向きに照明光を表示し、歩行者の真正面の地面を照らして、地形に危険なところがあればこれをわかりやすくする。
・電力を節約するために、ＬＥＤが十分な幅のビームを発する場合には、ＬＥＤを靴の反対側と靴のつま先だけ、又は靴のつま先だけを優先して、シェルの前方外側にはＬＥＤを配置しなくてもよい。
別の例示的な実施形態において、アレイ状のＬＥＤと同等の一つのＬＥＤをシェルが有する。
別の例示的な実施形態において、バッグ上のパネルである。
・パネルは、電気的に作動可能な材料、素子、又は複数の素子を備える。
・電流に反応する複数の層を備えるフィルムをパネルにコーティングする。別の例示的な実施形態において、フィルムの代わりにＬＥＤを使用してもよい。電気作動可能なパネルを簡単に変更する場合、例えばこれに限定するものではないが、パネルをコーティングする一つの電気作動可能な層上の既存の図柄から、そのパネルをコーティングする別の電気作動可能な層上の別の図柄に切り替える等の変更である場合、電子処理せずに電気スイッチだけで十分である。別の例示的な実施形態において、パネルの電気作動可能な素子によって実施する変更を制御するために、パネルに電子処理モジュールを組み込んでもよい。
・別の例示的な実施形態では、制御装置としての電子処理モジュールが、パネルの電子スイッチングモジュールに指示して、パネルの色又はパターン更には画像も変更する。別の例示的な実施形態において、このような制御装置がパネルの中にある。別の例示的な実施形態において、このような制御装置がバッグの中にある。別の例示的な実施形態では、例えばこれに限定するものではないスマートフォン等の外部装置からの近距離無線通信（ＮＦＣ）を介した無線通信による遠隔アプリケーションである。別の例示的な実施形態では、このスマートフォンが、気分を生体認証により読み取るためのアプリケーションと、気分と各パネル上の図柄（例えば、色）とを関連付けるディレクトリリストを備えており、制御装置によって気分に対応する色を採用するようにパネルに指示する。
【００６７】
幾つかの実施形態において、眼鏡フレームのワイヤのカプセル化部材である。
・このカプセル化部材の材料は弾性を有し、例えばこれに限定するものではないが、プラスチック、シリコーン、又はナノファイバーである。
・カプセル化部材の形状は、フレームワイヤの軌道を模したものとする。
・カプセル化部材には、その内部全体に延びる細い空洞部がある。一般の消費者が適度な圧力を加えることで、フレームのワイヤをこの空洞部に収めるためにカプセルをこじ開けることができる。カプセル化部材がワイヤ全体を覆っているかテンプル／エンドピースのみを覆っているかについては設計の好みである。
【００６８】
図１４に取り外し可能なカプセル化部材９を備えた傘を示す。本実施形態では先端部周辺と持ち手周辺との両方にカプセル化部材を取り付けているが、これらの両方にカプセル化部材をとりつけるかそのうちの一方のみに取り付けるかは製品設計の好みである。一方の交換可能カプセル化部材の形状は先端の形状に対応し、もう一方の交換可能カプセル化部材の形状は持ち手の形状に対応する。カプセル化部材を巻きつけるか滑らせて嵌めるかについては設計上の好みであって、カプセル化部材を留めるのに弾性を用いるか又は巻き付けたものを固定するために締結具を用いるかについても同じである。
【００６９】
幾つかの実施形態において、傘である。
・別の例示的な実施形態では、カプセル化部材によって傘の端部を端部の先まで覆い、通常のように先を突出させる。カプセル化部材を外科用包帯のように傘の端部の周りにぴったりと巻き付けて先端の突出を可能にする。別の例示的な実施形態ではキャップを有してもよい。取り外し可能即ち交換可能とするために、巻き付けたカプセル化部材を、例えばこれに限定するものではないが別の例示的な実施形態ではスナップ、別の例示的な実施形態では面ファスナー、別の例示的な実施形態では粘着性（例えばこれに限定するものではないが両面テープ）等の、現在又は将来に関わらずその時に利用可能なふさわしい締結手段を用いて開閉する。
・別の例示的な実施形態では、カプセル化部材を外科用包帯のように傘の棒の手前まで傘の持ち手にぴったりと巻き付ける。持ち手とカプセル化部材とを組み合わせたものは把持可能である。取り外し可能即ち交換可能とするために、巻き付けたカプセル化部材を、例えばこれに限定するものではないが別の例示的な実施形態ではスナップ、別の例示的な実施形態では面ファスナー、別の例示的な実施形態では粘着性（例えばこれに限定するものではないが両面テープ）等の、現在又は将来に関わらずその時に利用可能なふさわしい締結手段を用いて開閉する。
・別の例示的な実施形態では、靴下のようにカプセル化部材を持ち手に及び持ち手から滑らせることで着け外しし、持ち手とカプセル化部材とを組み合わせたものが把持可能となるようにカプセル化部材によって傘の持ち手を覆う。カプセル化部材の材料は、強く引っ張ることで伸び、持ち手に滑らせるようにして取り外すことができ、そうでない場合には持ち手の周りを締め付けるような十分な弾性を有する。
・電子部品等の内容物をその中に含む場合のカプセル化部材は、傘の各部分の周りに巻き付けられるよう十分な柔軟性を有する。
・別の例示的な実施形態では、傘の棒の部分に持ち手をネジ留めする又はネジを外すことによって持ち手を交換可能とし、ハンドルを変えることによって機能性を導入することが可能となる。例えばこれに限定するものではないが、別の例示的な実施形態では通電、別の例示的な実施形態では電子処理、別の例示的な実施形態ではバッグを掛けるためのフック等である。
・別の例示的な実施形態では、カプセル化部材は、その内部、その上又はそれと共に、電流作動可能である少なくとも一つの素子を有する。別の例示的な実施形態において、電気作動可能な素子はＬＥＤである。電流は、対象物のカプセル化部材と関連する携帯可能な電源から供給する。別の例示的な実施形態では、電源は再充電可能な軽量バッテリであり、別の例示的な実施形態では従来の時計用電池である。別の例示的な実施形態において、電源はカプセル化部材内のピンヘッド電池である。別の例示的な実施形態において、電源は持ち手内にある。電気作動可能な素子に電流を伝えるために、電源との接点からカプセル化部材を介してＬＥＤ等の電気作動可能な素子へとフィラメントが延びる。
・カプセル化部材が電流を受け取る別の例示的な実施形態において、そのカプセル化部材は、その内部、その上又はそれと共に、少なくとも一つの電子処理モジュールを有する。電子処理モジュールは独立していてもよい。電子処理モジュールは、別の例示的な実施形態では傘の他の場所の機能、別の例示的な実施形態では同様の実施形態の別の傘における機能と関連させてもよく、例えば、必ずしもこれに限定するものではないが、別の例示的な実施形態では通常無線によりスマートフォン等の他の外部電子処理と関連させてもよい。
・別の例示的な実施形態において、カプセル化部材により持ち手のみを覆う。
・別の例示的な実施形態において、カプセル化部材により傘の端部のみを覆う。
・別の例示的な実施形態において、一つのカプセル化部材により持ち手を覆い、別のカプセル化部材により端部を覆う。二つのカプセル化部材が、外観、感触又は機能について同一である必要はない。消費者は、例えば必ずしもこれらに限定するものではないが、傘を開いた時に運転手に警告を発するために、光を発する持ち手のカプセル化部材上のＬＥＤ、傘上端部のカプセル化部材上に点滅ビーコン等の、ある外観、感触、又は機能を希望する場合がある。
【００７０】
幾つかの実施形態において、例えばこれに限定するものではないが、再変更可能なバッグ、一対の再変更可能な靴、及び再変更可能なメガネフレームを含む。これらの各製品の外観を変えることで、全体の集合的な外観を変えることができ、例えばこれに限定するものではないが、製品を交換する必要なく、季節毎等の流行りの外観の配色、流行りの外観のイメージテーマ、流行りの外観の素材とすることができる。一対の再変更可能なスポーツシューズ、再変更可能な旅行鞄、再変更可能な傘、再変更可能な眼鏡フレーム、一対の再変更可能なイヤリング、再変更可能な宝石類等、コレクションを拡大可能であって、これらの例に限定されない。
【００７１】
本明細書の請求項に記載の特徴は（適宜組み合わせて）本開示の一部を形成するものであって参照により本明細書に組み込まれる。
【００７２】
様々な例又は実施形態について記載してきたが、それらは例示のためであり、本考案の範囲を制限するためではないことを理解されたい。様々な例示的な実施形態の部分又は部品は、一般性を失うことなく他の変形を形成するのに適切な場合には、組み合わせ及び／又は様々なものを上手く組み合わせるために一部抜き出しができることを理解されたい。
【図１】
0003229748.tif 000003
【図２】
0003229748.tif 000004
【図３】
0003229748.tif 000005
【図４】
0003229748.tif 000006
【図５】
0003229748.tif 000007
【図６】
0003229748.tif 000008
【図７ａ】
0003229748.tif 000009
【図７ｂ】
0003229748.tif 000010
【図８】
0003229748.tif 000011
【図９】
0003229748.tif 000012
【図１０】
0003229748.tif 000013
【図１１】
0003229748.tif 000014
【図１２ａ】
0003229748.tif 000015
【図１２ｂ】
0003229748.tif 000016
【図１３】
0003229748.tif 000017
【図１４】
0003229748.tif 000018
【図１５】
0003229748.tif 000019
【手続補正書】
【提出日】令和2年7月27日(2020.7.27)
【手続補正２】
【補正対象書類名】実用新案登録請求の範囲
【補正対象項目名】全文
【補正方法】変更
【補正の内容】
【実用新案登録請求の範囲】
【請求項１】
取り外し可能な部品を、製造時には前記取り外し可能な部品を収容していなかった部品受け入れ対象物上に、前記対象物の当初の品質に大きな影響を与えることなく密接に導入し、前記取り外し可能な部品を収容するための装置であって、
ａ．）  部品受け入れ対象物と、
ｂ．）  少なくともーつの取り外し可能な部品であって、前記部品受け入れ対象物に密接に嵌合可能、又は前記部品受け入れ対象物に密接に再嵌合可能、又は前記部品受け入れ対象物に密接に後付け可能のいずれかであって、前記取り外し可能な部品は同様の取り外し可能な部品と交換可能であって、又は取り外し可能又は不必要であって置換しない場合もある異種の部品と交換可能である部品と、を備え、
前記取り外し可能な部品を、製造時には前記取り外し可能な部品を収容していなかった部品受け入れ対象物上又は部品受け入れ対象物の別の取り外し可能な部品に対して、前記対象物の当初の品質に大きな影響を与えることなく密接に締結して、前記取り外し可能な部品を収容し、前記取り外し可能な部品は、前記部品受け入れ対象物の製造後に前記部品受け入れ対象物に取り付け、前記取り外し可能な部品は部品受け入れ対象物から分離可能であって、前記取り外し可能な部品を別の取り外し可能な部品と置換又は置換せずに前記取り外し可能な部品を破棄し、前記装置の導入前の前記部品受け入れ対象物の製造時の前記部品受け入れ対象物の当初の品質に影響することなく、前記部品受け入れ対象物の外観を変えたり、機能を拡張したりしやすくする、装置。
【請求項２】
前記取り外し可能な部品は、スリーブ、クレードルとしてのストラップ、シェル、カプセル化部材、及び／又は電気を利用した電気部品又は電子工学を利用した部品の形式の取り付け具である、
請求項１に記載の装置。
【請求項３】
前記部品受け入れ対象物はシェルの形式の容器である、
請求項１に記載の装置。
【請求項４】
前記容器は、バッグ、旅行鞄、又は靴である、
請求項３に記載の装置。
【請求項５】
前記交換可能な取り外し可能な部品と後続の部品とが異なる形状の形式であって、必ずしも部品受け入れ対象物と一致していなくてもよく、複数の部品を部品受け入れ対象物に取り付け可能であって、前記各部品の形式は一致しても一致していなくてもよく、部品受け入れ対象物上の前記部品は、他の前記部品が前記対象物上であっても他の場所にあっても前記部品と前記他の部品とが互いに通信する通信手段を有する、
請求項１に記載の装置。
【請求項６】
前記交換可能な取り外し可能な部品が自然素材製又は合成素材製であり、前記部品受け入れ対象物の材料と必ずしも同じ材料ではない、
請求項１に記載の装置。
【請求項７】
前記部品受け入れ対象物は、少なくとも
ａ．  ）電流伝達接点、
ｂ．  ）電導フィラメント、
ｃ．  ）バッテリを備える電化装置を含む、
請求項１に記載の装置。
【請求項８】
前記部品受け入れ対象物は、少なくとも電子マイクロプロセッサを備える電化装置を含む、
請求項１に記載の装置。
【請求項９】
取り外し可能な部品は、発光素子を有する、
請求項１に記載の装置。
【請求項１０】
部品受け入れ対象物上に取り外し可能な部品を取り付ける締結具は、スナップ、面フアスナー、接着剤、粘着性、磁性、ジッパー、ボタン、ネジ、さねはぎ、フックとリング、紐、又は張力である密接締結具の分離可能性により取り外し可能とする手段を用いて、前記部品受け入れ対象物上への前記部品の密接な取り付け、及び、前記部品受け入れ対象物からの前記部品の容易な取り外しが可能である、
請求項１に記載の装置。
【請求項１１】
前記部品受け入れ対象物は、眼鏡フレーム、宝石類、イヤリング、又は傘である、
請求項１に記載の装置。